(57)【要約】      （修正有）【課題】改善されたガス組成検知能力を有する呼吸補助装置を提供する。【解決手段】呼吸補助装置は、ガス供給を受け取るように構成されるガス流入口と、ガス供給から加圧ガス流を生成するように構成されるブロワユニットと、加圧ガス流を加温加湿するように構成される加湿ユニットと、加温加湿されたガス流のガス流出口とを有する。ガス流の流路が、ガス流入口からブロワユニット及び加湿ユニットを通してガス流出口に呼吸装置を通って延びる。センサ組立体６０が、流路内において、加湿ユニットの前に設けられる。センサ組立体６０は、ガス流内の１つ又は複数のガス濃度を検知する超音波ガス組成センサシステムを有する。【選択図】図１６
2018118085.tif 000002
【特許請求の範囲】
【請求項１】
加温加湿されたガス流を提供するように構成される呼吸補助装置であって、
ガス供給を受け取るように構成されるガス流入口と、
前記ガス供給から加圧ガス流を生成するように構成されるブロワユニットと、
前記加圧ガス流を加温加湿するように構成される加湿ユニットと、
前記加温加湿されたガス流のガス流出口と、
前記ガス流入口から前記ブロワユニット及び前記加湿ユニットを通して前記ガス流出口に前記呼吸補助装置を通る前記ガス流の流路と、
前記流路内において、前記加湿ユニットの前に設けられるセンサ組立体であって、前記ガス流内の１つ又は複数のガス濃度を検知する超音波ガス組成センサシステムを備える、センサ組立体と、
を備える、呼吸補助装置。
【請求項２】
前記超音波ガス組成センサシステムは送信器と受信器との送受信器対を備え、前記送受信器対は、前記送信器から前記受信器に、前記ガス流を通してクロスフロー音響パルスを送信して、前記センサ組立体の近傍での前記ガス流内での音速を検知するように動作可能である、請求項１に記載の呼吸補助装置。
【請求項３】
前記送信器と受信器との送受信器対は、前記音響パルスが、前記ガス流の流れる方向に略直交する方向において前記ガス流を移動するように配置される、請求項２に記載の呼吸補助装置。
【請求項４】
前記送信器と受信器との送受信器対は、前記音響パルスが、前記ガス流の流れる方向に対して傾斜するが、直交はしないクロスフローで前記ガス流を移動するように配置される、請求項２に記載の呼吸補助装置。
【請求項５】
前記送信器と受信器との送受信器対は、送信器として構成されるトランスデューサと、受信器として構成されるトランスデューサを備えて、単方向音響パルスを送信する、請求項２〜４の何れか一項に記載の呼吸補助装置。
【請求項６】
前記送信器と受信器との送受信器対は、双方向音響パルスを送信するように構成される一対の送信器−受信器トランスデューサを備える、請求項２〜４の何れか一項に記載の呼吸補助装置。
【請求項７】
前記送信器及び前記受信器は、前記ガス流の流れる方向に関連して互いに位置合わせされ、前記流路を挟んで互いに面する、請求項５又は６に記載の呼吸補助装置。
【請求項８】
前記送信器及び前記受信器は、前記ガス流の流れる方向において互いから変位される、請求項５又は６に記載の呼吸補助装置。
【請求項９】
前記音響パルスは、前記送信器と前記受信器との間で直接的なビーム路を有する、請求項８に記載の呼吸補助装置。
【請求項１０】
前記音響パルスは、前記送信器と前記受信器との間で間接的であり、１つ又は複数の反射を経るビーム路を有する、請求項８に記載の呼吸補助装置。
【請求項１１】
前記送信器トランスデューサと受信器トランスデューサとの対は、クロスフロー音響パルスを送信し、エコーリターンパルスを受信するように構成される単一の送信器−受信器の形態である、請求項２〜４の何れか一項に記載の呼吸補助装置。
【請求項１２】
前記超音波ガス組成センサシステムは、前記送信器から前記受信器に、前記ガス流を通して流れに沿った音響パルスを送信して、前記センサ組立体の近傍での前記ガス流内での音速を検知するように動作可能な送信器トランスデューサと受信器トランスデューサとの対を備える、請求項２に記載の呼吸補助装置。
【請求項１３】
前記超音波ガス組成センサシステムの前記送信器トランスデューサと受信器トランスデューサとの対に動作可能に接続され、前記ガス流を通る音速を検知し、前記音速を示す音速信号を生成するように前記トランスデューサ対を動作させるように構成されるセンサ制御システムを更に備える、請求項２〜１２の何れか一項に記載の呼吸補助装置。
【請求項１４】
前記センサ制御システムは、少なくとも、前記ガス流を通る前記音速を示す前記信号に基づいて、前記ガス流内の前記ガス濃度を示す１つ又は複数のガス濃度信号を生成するように構成される、請求項１３に記載の呼吸補助装置。
【請求項１５】
前記センサ組立体は温度センサを更に備え、前記温度センサは、前記センサ組立体の近傍での前記ガス流の温度を測定し、代表的な温度信号を生成するように構成され、前記センサ制御システムは、前記音速信号及び前記温度信号に基づいて、前記ガス流内の前記ガス濃度を示す１つ又は複数のガス濃度信号を生成するように構成される、請求項１３又は１４に記載の呼吸補助装置。
【請求項１６】
前記センサ組立体は湿度センサを更に備え、前記湿度センサは、前記センサ組立体の近傍での前記ガス流内の湿度を測定し、代表的な湿度信号を生成するように構成され、前記センサ制御システムは、前記音速信号及び前記湿度信号に基づいて、前記ガス流内の前記ガス濃度を示す１つ又は複数のガス濃度信号を生成するように構成される、請求項１３又は１４に記載の呼吸補助装置。
【請求項１７】
前記センサ組立体は、前記センサ組立体の近傍での前記ガス流の温度を測定し、代表的な温度センサを生成するように構成される温度センサと、前記センサ組立体の近傍での前記ガス流内の湿度を測定し、代表的な湿度信号を生成するように構成される湿度センサとを更に備え、前記センサ制御システムは、前記音速信号、前記温度信号、及び前記湿度信号に基づいて、前記ガス流内の前記ガス濃度を示す１つ又は複数のガス濃度信号を生成するように構成される、請求項１３又は１４に記載の呼吸補助装置。
【請求項１８】
前記センサ制御システムは、前記ガス流内の酸素濃度を表すガス濃度信号を生成するように構成される、請求項１３〜１７の何れか一項に記載の呼吸補助装置。
【請求項１９】
前記センサ制御システムは、前記ガス流内の二酸化炭素濃度を表すガス濃度信号を生成するように構成される、請求項１３〜１７の何れか一項に記載の呼吸補助装置。
【請求項２０】
前記センサ組立体は、本体を備えるセンサ筐体を備え、前記本体は、中空であり、第１の開放端部と第２の開放端部との間に延びる周壁によって画定され、それにより、前記本体内において前記壁の間に検知通路を画定し、前記検知通路を通って、前記ガス流は、前記本体の前記第１の端部と前記第２の端部との間に延びる流軸の方向に流れることができ、前記送信器トランスデューサと受信器トランスデューサとの対は、前記検知通路の対向する壁又は側に配置される、請求項２〜１９の何れか一項に記載の呼吸補助装置。
【請求項２１】
前記センサ筐体は、
２つの離間された側壁と、前記側壁の間に延びる上壁及び下壁とを備えて、前記本体に沿って、その前記第１の端部と前記第２の端部との間に前記検知通路を画定する本体と、  前記本体の対向する壁に配置される一対のトランスデューサ搭載組立体であって、それぞれが、前記本体の前記検知通路にわたり、前記トランスデューサ対の各トランスデューサが位置合わせされ、互いに面するよう前記トランスデューサ対の各トランスデューサを受けて保持するように構成される、一対のトランスデューサ搭載組立体と、
を備える、請求項２０に記載の呼吸補助装置。
【発明の詳細な説明】
【技術分野】
【０００１】
本発明は、治療目的で加温加湿されたガス流をユーザに提供する呼吸補助装置に関する。排他的ではないが特に、本呼吸補助装置は、呼吸加湿治療、高流量酸素治療、ＣＰＡＰ治療、Ｂｉ−ＰＡＰ治療、及びＯＰＡＰ治療を含む気道陽圧（ＰＡＰ）治療等の呼吸治療のため、通常は閉塞性睡眠時無呼吸（ＯＳＡ）、いびき、慢性閉塞性肺疾患（ＣＯＰＤ）等の疾患の処置のために、加温加湿されたガスの供給を必要とする患者又はユーザに呼吸補助を提供し得る。
【背景技術】
【０００２】
治療目的で加湿加温されたガスの流れを患者に提供する呼吸補助装置又はシステムが、当分野において周知である。このタイプ（例えば、呼吸加湿）の治療を提供するシステムは通常、ブロワ（コンプレッサ、人工呼吸ユニット、ファンユニット、フロー生成器、又は圧力生成器としても知られている）等の、ガスをガス源から加湿器チャンバに送る構造体を有する。ガスは、加湿器チャンバ内で湯の上を通過するか、又は加温加湿された空気を通って通過する際、水蒸気で飽和する。加温加湿されたガスは次に、ガス導管及びユーザインタフェースを介して加湿器チャンバから下流のユーザ又は患者に送られる。
【０００３】
一形態では、そのような呼吸補助システムは、別個（モジュール式）の物品である加湿器ユニットと、ブロワユニットとを備えるモジュール式システムであることができる。モジュールは、接続導管を介して直列接続されて、ガスをブロワユニットから加湿器ユニットに通す。例えば、図１は、モジュール式呼吸補助システムから加温加湿された空気を受け取っているユーザ１の概略図を示す。加圧空気が、人工呼吸ユニット又はブロワユニット２ａからコネクタ導管１０を介して加湿器チャンバ４ａに提供される。加湿され、加温され、加圧された空気流は、ユーザ導管３を介して加湿器チャンバ４ａを出て、ユーザインタフェース５を介して患者又はユーザ１に提供される。
【０００４】
代替の形態では、呼吸補助システムは、ブロワユニット及び加湿器ユニットが同じ筐体内に含まれる一体システムであることができる。典型的な一体システムは、加圧ガス流を提供するメインブロワユニット又は人工呼吸ユニットと、ブロワユニットに嵌合するか、又は他の様式でしっかりと接続される加湿器ユニットとからなる。例えば、加湿器ユニットは、スライド接続又は押し込み接続によってブロワユニットに嵌合され、それにより、加湿器ユニットがメインブロワユニットにしっかりと接続され、メインブロワユニット上の所定位置にしっかりと保持されることを保証する。図２は、一体型呼吸補助システム６から加温加湿された空気を受け取っているユーザ１の概略図を示す。システムは、図１に示されるモジュール式システムと同じように動作するが、加湿器チャンバ４ｂはブロワユニットと一体化されて、一体型システム６を形成している。
【０００５】
図１及び図２に示されるユーザインタフェース５は鼻マスクであり、ユーザ１の鼻を覆う。しかし、これらのタイプのシステムでは、口及び鼻を覆うマスク、フルフェイスマスク、鼻カニューラ、又は任意の他の適するユーザインタフェースを、示される鼻マスクの代替とし得ることに留意されたい。口のみのインタフェース又は口マスクを使用することも可能である。また、導管の患者又はユーザ側の端部は、気管切開接続具又は気管内挿管に接続することもできる。
【０００６】
米国特許第７，１１１，６２４号明細書は、一体型システムの詳細な説明を含む。使用に際して、「スライドオン」水チャンバがブロワユニットに接続される。この設計の一変形形態が、使用に際してチャンバが一体型ユニットの一部分の内部に囲まれるスライドオン又はクリップオン設計である。このタイプの設計の一例が、国際公開第２００４／１１２８７３号パンフレットに示されており、これは、ブロワ又はフロー生成器５０と、関連付けられた加湿器１５０とを記載している。
【０００７】
これらの一体型システムの場合、最も一般的な動作モードは以下である：空気が、ブロワにより流入口を通して、少なくともシステムのブロワ部分を包囲し囲むケース内に引き込まれる。ブロワは、フロー生成器流入口からの空気流を加圧し、これを加湿器チャンバに渡す。空気流は、加湿器チャンバ内で加温加湿され、流入口を介して加湿器チャンバを出る。可撓性ホース又は導管が加湿器流出口に直接又は間接的に接続され、加温加湿されたガスが、導管を介してユーザに渡される。これを図２に概略的に示す。
【０００８】
モジュール式システム及び一体型システムの両方において、ブロワユニットによって提供されるガスは一般に、周囲大気を源とする。しかし、これらのシステムの幾つかの形態は、特定の治療のために、補足ガスを大気空気と混合可能なように構成し得る。そのようなシステムでは、補足ガスを供給するガス導管が通常、加湿器チャンバ若しくはブロワユニットの高圧（流出口）側の他のどこかに直接接続されるか、又は代替的に、国際公開第２００７／００４８９８号パンフレットに記載のように、ブロワユニットの流入口側に接続される。このタイプの呼吸補助システムは一般に、患者又はユーザが酸素治療を必要とし、酸素が中央ガス源から供給される場合に使用される。ガス源からの酸素は大気空気と混合されて、酸素濃度を増大させてから、患者に送られる。そのようなシステムにより、ＣＯＰＤ等の疾患の治療のために、酸素治療を高流量加湿治療と組み合わせることが可能である。そのような治療では、患者に送られている酸素濃度が知られており、制御されることが重要である。現在、患者に送られている酸素濃度は通常、中央ガス源から供給される様々な酸素流量及びブロワユニットによって生成される様々な流量に基づいて予め計算された様々な酸素濃度を提示するプリントされた参照表に基づいて手動で計算されるか、又は推定される。
【０００９】
本明細書では、特許明細書、他の外部文献、又は他の情報源が参照された場合、これは一般に、本発明の特徴を考察するための背景を提供することを目的とする。特に別段のことが示される場合を除き、そのような外部文献への参照は、そのような文献又はそのような情報源が、いかなる法域においても、従来技術であること、又は当分野での一般知識の一部をなすことを認めるものとして解釈されるべきではない。
【発明の概要】
【発明が解決しようとする課題】
【００１０】
改善されたガス組成検知能力を有する呼吸補助装置を提供すること、又は少なくとも公衆に有用な選択肢を提供することが、本発明の目的である。
【課題を解決するための手段】
【００１１】
第１の態様では、本発明の本質は広義において、加温加湿されたガス流を提供するように構成される呼吸補助装置であって、ガス供給を受け取るように構成されるガス流入口と、ガス供給から加圧ガス流を生成するように構成されるブロワユニットと、加圧ガス流を加温加湿するように構成される加湿ユニットと、加温加湿されたガス流のガス流出口と、ガス流入口からブロワユニット及び加湿ユニットを通してガス流出口に呼吸装置を通るガス流の流路と、流路内において、加湿ユニットの前に設けられるセンサ組立体であって、ガス流内の１つ又は複数のガス濃度を検知する超音波ガス組成センサシステムを備える、センサ組立体とを備える、呼吸補助装置にある。
【００１２】
好ましくは、超音波ガス組成センサシステムは送信器と受信器との送受信器対を備え得、送受信器対は、送信器から受信器に、ガス流を通してクロスフロー音響パルスを送信して、センサ組立体の近傍でのガス流内での音速を検知するように動作可能であり得る。
【００１３】
一形態では、送信器と受信器との送受信器対は、音響パルスが、ガス流の流れる方向に略直交する方向であるクロスフローでガス流を移動するように配置し得る。
【００１４】
別の形態では、送信器と受信器との送受信器対は、音響パルスが、ガス流の流れる方向に対して傾斜するが、直交はしないクロスフローでガス流を移動するように配置し得る。
【００１５】
一形態では、送信器と受信器との送受信器対は、送信器として構成されるトランスデューサと、受信器として構成されるトランスデューサを備えて、単方向音響パルスを送信し得る。
【００１６】
別の形態では、送信器と受信器との送受信器対は、双方向音響パルスを送信するように構成される一対の送信器−受信器トランスデューサを備え得る。
【００１７】
一形態では、送信器及び受信器は、ガス流の流れる方向に関連して互いに位置合わせし得、流路を挟んで互いに面し得る。
【００１８】
別の形態では、送信器及び受信器は、ガス流の流れる方向において互いから変位し得る。
【００１９】
好ましくは、音響パルスは、送信器と受信器との間で直接的なビーム路を有し得る。代替的には、音響パルスは、送信器と受信器との間で間接的であり、１つ又は複数の反射を経るビーム路を有し得る。
【００２０】
別の形態では、送信器トランスデューサと受信器トランスデューサとの対は、クロスフロー音響パルスを送信し、エコーリターンパルスを受信するように構成される単一の送信器−受信器の形態をとり得る。
【００２１】
別の形態では、超音波ガス組成センサシステムは、送信器から受信器に、ガス流を通して流れに沿った音響パルスを送信して、センサ組立体の近傍でのガス流内での音速を検知するように動作可能な送信器トランスデューサと受信器トランスデューサとの対を備え得る。
【００２２】
好ましくは、呼吸補助装置は、超音波ガス組成センサシステムの送信器トランスデューサと受信器トランスデューサとの対に動作可能に接続され、ガス流を通る音速を検知し、その音速を示す音速信号を生成するようにトランスデューサ対を動作させるように構成されるセンサ制御システムを更に備え得る。
【００２３】
好ましくは、センサ制御システムは、少なくとも、ガス流を通る音速を示す信号に基づいて、ガス流内のガス濃度を示す１つ又は複数のガス濃度信号を生成するように構成される。
【００２４】
一形態では、センサ組立体は温度センサを更に備え得、温度センサは、センサ組立体の近傍でのガス流の温度を測定し、代表的な温度信号を生成するように構成され、センサ制御システムは、音速信号及び温度信号に基づいて、ガス流内のガス濃度を示す１つ又は複数のガス濃度信号を生成するように構成される。
【００２５】
別の形態では、センサ組立体は湿度センサを更に備え得、湿度センサは、センサ組立体の近傍でのガス流の湿度を測定し、代表的な湿度信号を生成するように構成され、センサ制御システムは、音速信号及び湿度信号に基づいて、ガス流内のガス濃度を示す１つ又は複数のガス濃度信号を生成するように構成される。例として、湿度センサは相対湿度センサ又は絶対湿度センサであり得る。
【００２６】
別の形態では、センサ組立体は、センサ組立体の近傍でのガス流の温度及び湿度を測定し、代表的な温度信号及び湿度信号のそれぞれを生成する温度センサ及び湿度センサの両方を備え得、センサ制御システムは、音速信号、温度信号、及び湿度信号に基づいて、ガス流内のガス濃度を示す１つ又は複数のガス濃度信号を生成するように構成される。
【００２７】
好ましくは、センサ制御システムは、温度補正を温度信号に適用して、温度センサに影響する、呼吸装置内の熱によって生じる任意の予測温度検知誤差を補償するように構成し得る。
【００２８】
好ましくは、センサ組立体は、流量センサを更に備え得、流量センサは、センサ組立体の近傍でのガス流の流量を検知し、代表的な流量信号を生成するように構成され、システムは、ブロワユニットのモータ速度を検知し、代表的なモータ速度信号を生成するように構成される、設けられたモータ速度センサを更に備え得、温度補正は、少なくとも、流量信号及び／又はモータ速度信号に基づいてセンサ制御システムによって計算される。
【００２９】
一形態では、センサ制御システムは、ガス流内の酸素濃度を表すガス濃度信号を生成するように構成し得る。
【００３０】
別の形態では、センサ制御システムは、ガス流内の二酸化炭素濃度を表すガス濃度信号を生成するように構成し得る。
【００３１】
好ましくは、センサ組立体は流路内に脱着可能に搭載し得る。
【００３２】
好ましくは、流路は、流路の少なくとも１つのセクション又は部分でのガス流の安定した流れを促進するような形状又は構成を有し得る。
【００３３】
好ましくは、流路は、センサ組立体を含む流路のセクション又は部分での安定した流れを促進するような形状又は構成を有し得る。
【００３４】
好ましくは、流路は、ガス流入口において、又はガス流入口に向かう１つ又は複数のフローディレクタを備え得る。より好ましくは、各フローディレクタは、弓形フィンの形態であり得る。
【００３５】
一形態では、流路は、ガス流の安定した流れを促進する少なくとも１つの螺旋部分又はセクションを備え得る。好ましくは、流路は、ガス流入口とブロワユニットとの間に延びる流入セクションを備え得、流入セクションは少なくとも１つの螺旋部を備える。
【００３６】
好ましくは、センサ組立体は流路の螺旋部分に配置し得る。より好ましくは、螺旋部は１つ又は複数の略直線のセクションを備え、センサ組立体は直線セクションのうちの１つに配置される。
【００３７】
好ましくは、センサ組立体は、本体を備えるセンサ筐体を備え得、本体は、中空であり、第１の開放端部と第２の開放端部との間に延びる周壁によって画定され、それにより、本体内において壁の間に検知通路を画定し、検知通路を通って、ガス流は、本体の第１の端部と第２の端部との間に延びる流軸の方向に流れることができ、送信器トランスデューサと受信器トランスデューサとの対は、検知通路の対向する壁又は側に配置される。より好ましくは、センサ筐体は、２つの離間された側壁と、側壁の間に延びる上壁及び下壁とを備えて、本体に沿って、第１の端部と第２の端部との間に検知通路を画定する本体と、本体の対向する壁に配置される一対のトランスデューサ搭載組立体であって、それぞれが、本体の検知通路にわたり、トランスデューサ対の各トランスデューサが位置合わせされ、互いに面するようトランスデューサ対の各トランスデューサを受けて保持するように構成される、一対のトランスデューサ搭載組立体とを備え得る。
【００３８】
好ましくは、ブロワユニットは、最高で１００リットル／分の流量を有するガス流をガス流出口において生成するように動作可能であり得る。
【００３９】
一形態では、ガス流入口は、大気空気と、酸素供給源からの純粋な酸素との混合物を含むガスの供給を受け取るように構成し得る。別の形態では、ガス流入口は、大気空気と、二酸化炭素供給源からの二酸化炭素との混合物を含むガスの供給を受け取るように構成し得る。
【００４０】
好ましくは、流路は装置のバルク流路内にある。
【００４１】
第２の態様では、本発明の本質は広義において、呼吸補助装置内のガス流のインライン流路検知を行うセンサ組立体にあり、センサ組立体は本体を備えるセンサ筐体を備え、本体は、中空であり、第１の開放端部と第２の開放端部との間に延びる周壁によって画定され、それにより、本体内において壁の間に検知通路を画定し、検知通路を通って、ガス流は、本体の第１の端部と第２の端部との間に延びる流軸の方向に流れることができ、センサ組立体は、検知通路を流れるガス流内の１つ又は複数のガス濃度を検知する、センサ筐体に搭載される超音波ガス組成センサシステムと、検知通路を流れるガス流の温度を検知する、センサ筐体に搭載される温度センサと、検知通路を流れるガス流の流量を検知する、センサ筐体に搭載される流量センサとを備える。
【００４２】
好ましくは、センサ筐体は、呼吸補助装置の流路内の相補的な保持アパーチャに脱着可能に係合するように構成し得る。
【００４３】
好ましくは、超音波ガス組成センサシステムは、送信器から受信器に、ガス流を通して、検知通路を通って流れるガス流の流軸に略直交する方向に音響パルスを送信するように動作可能な送信器トランスデューサと受信器トランスデューサとの対を備え得る。
【００４４】
好ましくは、送信器トランスデューサと受信器トランスデューサとの対は、検知通路の対向する壁又は側に配置し得る。
【００４５】
好ましくは、センサ筐体の本体は、２つの離間された側壁と、側壁の間に延びる上壁及び下壁とを備えて、本体に沿って、第１の端部と第２の端部との間に検知通路を画定し、本体は、本体の対向する壁に配置される一対のトランスデューサ搭載組立体を備え得、一対のトランスデューサ搭載組立体はそれぞれ、本体の検知通路にわたり、トランスデューサ対の各トランスデューサが位置合わせされ、互いに面するようトランスデューサ対の各トランスデューサを受けて保持するように構成される。
【００４６】
好ましくは、一対のトランスデューサ搭載組立体は、本体の対向する側壁に配置し得、各トランスデューサ搭載組立体は、対の各トランスデューサを内部で受けて保持する保持キャビティを備える。
【００４７】
好ましくは、各トランスデューサ搭載組立体は、本体の各側壁から延びる円筒形ベース部と、ベース部から延びる少なくとも一対の対向するクリップとを備え得、ベース部及びクリップは集合的に、保持キャビティを画定する。
【００４８】
好ましくは、本体の各側壁は、トランスデューサアパーチャを備え得、トランスデューサアパーチャは、関連付けられたトランスデューサ搭載組立体と位置合わせされ、トランスデューサアパーチャを通して、トランスデューサの動作前面が延びて、検知通路にアクセスし得る。
【００４９】
好ましくは、トランスデューサ搭載組立体は、トランスデューサの動作面が、センサ筐体の本体の各壁の内面と略同一の平面にあるように各トランスデューサを配置するように構成し得る。
【００５０】
本発明の第２の態様は、本発明の第１の態様のセンサ組立体に関して述べた特徴のうちの任意の１つ又は複数を有し得る。
【００５１】
本明細書及び特許請求の範囲で使用される「安定した流れ」という語句は、文脈により別段のことが示唆される場合を除き、層流であれ、乱流であれ関係なく、属性又は特性が測定又は検知されている尺度で、所与の組の条件で、測定中又は検知中である流れの属性又は特性を略時間不変にすることを促進するか、又は略時間不変にさせるタイプのガス流フローを意味する。
【００５２】
本明細書及び特許請求の範囲で使用される「クロスフロービーム」又は「クロスフロー」という語句は、文脈により別段のことが示唆される場合を除き、主ガス流路方向に沿うのとは対照的に、主ガス流路方向又は軸を横切るか、又は横断するビーム路で送信される超音波パルス又はビームを意味する。例えば、クロスフロービームは、主ガス流路方向又は軸に略直交する方向においてガス流路を横切って送信し得るが、この用語により網羅される、他のクロスフロー角度も意図される。
【００５３】
本明細書及び特許請求の範囲で使用される「流れに沿ったビーム」又は「流れに沿った」という語句は、文脈により別段のことが示唆される場合を除き、平行であれ、一致であれ関係なく、主ガス流路方向又は軸と略位置合わせされたビーム路で送信される、ガス流方向であるか、それに逆らう方向であるかに関係なく送信し得る超音波パルス又はビームを意味する。
【００５４】
本明細書及び特許請求の範囲で使用される「備える」という語句は、「〜のうちの少なくとも一部からなる」を意味する。「備える」という用語を含む本明細書及び特許請求の範囲での各文章を解釈する場合、その用語が後置された１つ又は複数の特徴以外の特徴も存在し得る。「備えている」及び「備えた」等の関連する用語も同様に解釈されるべきである。
【００５５】
数値範囲
本明細書において開示される数値範囲（例えば、１〜１０）への参照は、その範囲内の全ての関係数値への参照（例えば、１、１．１、２、３、３．９、４、５、６、６．５、７、８、９、及び１０）を組み込むとともに、その範囲内の関連する数値の任意の範囲（例えば、２〜８、１．５〜５．５、及び３．１〜４．７）を組み込むことも意図され、したがって、本明細書において明示的に開示される全ての範囲の全ての部分範囲もそれにより明示的に開示される。これらは、特に意図されるものの単なる例であり、列挙される最低値と最高値との間の数値の全ての可能な組み合わせが同様に、本明細書に明示的に記載されるものと見なされるべきである。
【００５６】
本明細書で使用される場合、「及び／又は」という用語は「及び」又は「又は」又はこれら両方を意味する。
【００５７】
本明細書で使用される場合、名詞に続く「（ｓ）」は、その名詞の複数形及び／又は単数形を意味する。
【００５８】
本発明の本質は上記にあるとともに、以下が単なる例を与えるものの構造も考えられる。
【００５９】
本発明の好ましい実施形態について、単なる例として、図面を参照して説明する。
【図面の簡単な説明】
【００６０】
【図１】加湿器ユニットに接続されたモジュール式構成ブロワユニットを有する呼吸補助装置の既知の形態の概略図である。
【図２】ブロワユニット及び加湿器ユニットが単一の主筐体に一体化された呼吸補助装置の別の既知の形態の概略図である。
【図３】本発明の一実施形態による呼吸補助装置の主筐体の斜視図を示す。
【図４】図３の呼吸補助装置の側面立面図を示す。
【図５】図４の方向Ａからの呼吸補助装置の前面立面図を示す。
【図６】図４の方向Ｂからの呼吸補助装置の後面立面図を示す。
【図７】図３の呼吸補助装置の下面図を示す。
【図８】図３の呼吸補助装置の平面図を示す。
【図９】主筐体の上部が取り外され、電子制御回路及びブロワユニット区画が露出されている、図３の呼吸補助装置の斜視図を示す。
【図１０】電子制御回路、外部ブロワユニットケース、及び他の構成要素が取り外されて、モータ及びインペラの内部ブロワケースの上側を露出している、図９の呼吸補助装置の斜視図を示す。
【図１０Ａ】主筐体の下部及びベース区画が取り外され、主外部ブロワユニットケース及び内部ブロワケースの下側を露出している、図３の呼吸補助装置の斜視図を示す。
【図１１】内部ブロワケース及び加湿チャンバ流入口コネクタが取り外されて、主筐体ベース区画の上側が露出されている、図１０の呼吸補助装置の斜視図を示す。
【図１２】主筐体の下部が取り外されて、ベース区画及び加湿器ユニット区画が露出されている、図１１の呼吸補助装置の斜視図を示す。
【図１３】図１２の呼吸補助装置の平面図を示す。
【図１４】方向Ｃからの図１２の呼吸補助装置の後方端面図を示す。
【図１５】センサ組立体と、螺旋形流路を有するガス流流路の流入セクションの第１の実施形態とを示す、図１２の呼吸補助装置の下面図を示す。
【図１６】図１２の呼吸補助装置の下側の斜視図を示す。
【図１７】図１２の呼吸補助装置の下側、特に、ガス流流路の流入セクション及びセンサ組立体の一部分の拡大斜視図を示す。
【図１８Ａ】センサ組立体と、直接流路を有するガス流流路の流入セクションの第２の実施形態とを示す、図１２の呼吸装置の下面図を示す。
【図１８Ｂ】直接流入流路を有する、図１８Ａの呼吸補助装置の後方端面図を示す。
【図１８Ｃ】図１８Ａの呼吸装置の下側の斜視図を示す。
【図１９】本発明の一実施形態によるセンサ組立体の筐体の斜視図を示す。
【図２０】筐体に搭載されたセンサ構成を有する、図１９のセンサ組立体筐体の斜視図を示す。
【図２１】図１９のセンサ組立体の筐体の下面図を示す。
【図２２】図１９のセンサ組立体の筐体の上側の平面図を示す。
【図２３】図１９のセンサ組立体の筐体の側面図を示す。
【図２４】図１９のセンサ組立体の筐体の端面図を示す。
【図２５】本発明の一実施形態による呼吸補助装置のセンサ制御システムのブロック図を示す。
【図２６Ａ−２６Ｅ】クロスフロービームを使用するセンサ組立体の様々な超音波トランスデューサ構成の概略図を示す。
【図２７Ａ−２７Ｃ】流れに沿ったビームを使用するセンサ組立体の様々な超音波トランスデューサ構成の概略図を示す。
【発明を実施するための形態】
【００６１】
概説
本発明は、主に呼吸補助装置を流れるガス流の様々な特性を検知するセンサ組立体及び関連付けられたセンサ制御回路に関する。例として、センサ組立体及びセンサ制御システムの一実施形態は、ブロワユニットが加湿ユニットと単一の筐体内で一体化される一体型システムタイプの呼吸補助装置を参照して説明する。しかし、センサ組立体及び関連付けられたセンサ制御システムを、加湿ユニットがブロワユニットとは別記であるモジュールタイプ呼吸補助装置システムで実施してもよいことが理解されるだろう。
【００６２】
さらに、説明する実施形態は、特に、エンドユーザに送られるガス流の酸素濃度が大気空気と比較して増大した酸素濃度を有するように、補足酸素（Ｏ2）と混合された大気空気の２成分ガス混合物としてガス流を見なすことができる高流量加湿及び酸素治療に使用される呼吸補助装置を参照する。当分野では、大気ガスに別のガスを補足又は混合することは、「オーグメンテーション（ａｕｇｍｅｎｔａｔｉｏｎ：増強）」として知られており、通常、大気空気での濃度と比較して、酸素又は窒素等の特定のガスの濃度を変更するために使用される。
【００６３】
センサ組立体及び検知回路を代替的に、大気圧のみの加圧ガス流を送るか、それとも酸素又は窒素等の別の特定のガスで補強された大気空気の加圧ガス流を送るかに関係なく、ＰＡＰ治療等の他の呼吸治療用に特に構成するか、又は他の治療用に特に制御される他の呼吸補助装置で実施してもよいことが理解されるだろう。センサ組立体及びセンサ制御システムが主に、酸素で増強された大気ガスを含む２成分ガス混合物の酸素濃度を検知するように構成されるが、窒素供給源からの窒素（Ｎ2）で増強された大気空気、二酸化炭素供給源からの二酸化炭素（ＣＯ2）若しくは任意の他の適する補足ガスで増強された大気空気、酸素で増強されたヘリウム、又は任意の他の適する２成分ガス混合物等の他の増強された空気混合物又は２成分ガス混合物を含むガス流の特性を検知するように構成又は適合することも可能なことが理解されるだろう。
【００６４】
高流量加湿及び酸素治療の一体型呼吸補助装置
図３を参照して、本発明の一実施形態による一体型呼吸補助装置１０（呼吸装置）の主筐体を示す。呼吸装置１０は、加圧又は高流量ガス流を生成するブロワユニットを備え、ガス流は次に、上述したように加湿ユニットによって加温加湿される。図３に示されないが、呼吸装置１０によって生成されたガス流は通常、可撓性送達導管又はチューブを備える患者インタフェースによって患者に送られ、導管又はチューブは、一端部において、呼吸装置１０のガス流出口１２に接続され、他端部において、ユーザインタフェースに接続され、ユーザインタフェースは通常、鼻カニューラであるか、又は代替的に、鼻マスク、フルフェイスマスク、気管切開接続具、又は任意の他の適するユーザインタフェースであり得る。
【００６５】
この実施形態では、呼吸装置１０には、例えば、図２を参照して上述したタイプの加湿ユニット１５が設けられる。加湿ユニット１５は、加湿水チャンバ１７と、ヒータプレート１９とを備え、これらは、主筐体の前端部１１に配置されるか、又は前端部１１に向けて配置される、全体的に１４で示される加湿ユニット区画内に設置される。図３及び図５を参照すると、加湿チャンバ１７には、設置される場合、チャンバを呼吸装置の流路に接続するための流入ポート１６及び流出ポート１８が設けられる。例えば、流入ポート１６は、加湿チャンバ１７が、主筐体の後端部１３に配置されるか、又は後端部１３に向けて配置されるブロワユニットから流入口を通して加圧若しくは高流量ガス流を受け取るように、ブロワユニット後に流路に接続される。加温加湿されると、ガス流は、呼吸装置１０のガス流出口１２に流体接続された流出ポート１８を介して加湿チャンバを出る。
【００６６】
図６を参照して、呼吸装置１０のガス流入口組立体２０を主筐体の後端部１３に示す。この実施形態では、ガス流入口組立体２０は、周囲大気空気がブロワユニットによって装置に引き込まれる１つ又は複数の大気空気流入弁２２と、補足ガス接続流入口２４とを備え、補足ガス接続流入口２４は、大気空気と混合して、酸素濃度を増大させる酸素流等の補足ガスの中央ガス供給源に接続し得る。更に詳細に後述するように、空気及び酸素の２成分ガス混合物は、ブロワユニットによって引き込まれるか、又は吸い込まれ、加圧されて、加湿ユニットに続けて送られるのに望ましい流量のガス流になり、加湿ユニットにおいて、ガス流は加温加湿され、それから患者インタフェースを介してエンドユーザに送られて、呼吸回路を完了する。
【００６７】
図３を参照すると、この実施形態では、呼吸装置１０の主筐体は、筐体下部２６を含む２部構造のものであり、筐体下部２６は、筐体上部２８に脱着可能に結合又は嵌合され、一緒に組み立てられた場合に、ブロワユニットを囲み、加湿チャンバを受け取る加湿ユニット区画を提供する全体主筐体又はケースを形成する。しかし、３つ以上のパーツのマルチパーツ筐体構造又は単一の一体型主筐体を代替的に利用してもよいことが理解されるだろう。この実施形態では、筐体パーツはプラスチックから成形されるが、必要な場合、筐体の１つ又は複数の構成要素又はパーツを他の材料から形成し得ることが理解されるだろう。
【００６８】
図７を参照して、筐体下部２６の主ベース又は下側部２６ａを示す。図８を参照すると、ユーザ制御インタフェース３０が、筐体上部２８の主上部２８ａに設けられ、ユーザ制御インタフェース３０は、呼吸装置１０を制御するためのユーザ制御装置及び／又はユーザディスプレイを備え得る。
【００６９】
図９を参照して、呼吸装置１０を示し、筐体上部２８が取り外され、この実施形態では、収容され、主筐体の後端部１３に向けて配置されるブロワユニット区画の主又は外部ブロワユニットケース３２を露出している。呼吸装置１０の制御システム電子回路を備え、ブロワユニットケース３２に沿って搭載されるプロント回路基板３１も、図９に見られる。加湿チャンバ１７の流入ポート１６及び流出ポート１８をブロワユニット及びガス流出口１２にそれぞれ流体接続するコネクタ及び／又は導管２３、２５もより明確に示される。図１０は内部ブロワケース３４を示し、このケース３４は、ブロワユニットのモータ及びインペラを収容する。ブロワユニットのガス流出口は全体的に３５で示される。内部ブロワケース３４は、図９に示される主ブロワユニットケース３２内部に搭載又は収容される。
【００７０】
図１０Ａを参照して、ブロワユニットのガス流出口３５をより明確に見ることができる。ブロワユニットには、中央ガス流入アパーチャ又はポート３７も設けられ、このアパーチャ又はポート３７を通して、ガスをブロワユニットの回転インペラによって引き込まれる。この実施形態では、ブロワユニットの流入ポート３７は、流路によってガス流入口組立体２０に流体接続される。
【００７１】
図１１を参照すると、ベース区画３６は、ブロワユニットの背後で、主筐体の後端部１３に配置されるか、又は後端部１３に向けて配置される。この実施形態では、ベース区画３６は、筐体下部２６に搭載されるか、又は筐体下部２６内に収容される。ベース区画３６は、上部又は蓋３６ａに出口ポート又はアパーチャ３８を備え、このポート又はアパーチャ３８は、動作に当たり、ガス流が、ガス流入口組立体２０に入った後、ベース区画３６からブロワユニット内を通って流れるように、導管及び／又はコネクタによってブロワユニットの流入ポート３７に流体接続される。図１２は、主筐体の筐体下部２６が図から省かれた状態で、ベース区画３６をより明確に示す。加湿ユニット区画１４も、図１２においてより明確に見える。
【００７２】
ガス流の流路
動作に当たり、ガスのフロー又は流れは、ガス流入口組立体２０からガス流出口１２に、呼吸装置１０を通る流路を介して輸送される。この実施形態では、流路はガス流入口組立体２０で開始され、ガス流入口組立体２０において、補足酸素が混合された大気空気等のガス流が呼吸装置１０に入り、ベース区画３６内の流路の流入セクションを通してチャネリング又は輸送されてから、上記のブロワユニット区画に入る。流路の流入セクションを出た後、ガス流はブロワユニットに入り、ガスは加圧又は加速されて、制御可能な流量を有する高流量ガス流になり、これは通常、高流量加湿治療用の高流量である。そのような用途では、流量は約１Ｌ／分〜約１００Ｌ／分の範囲、より好ましくは約２Ｌ／分〜約６０Ｌ／分の範囲であり得る。流路はブロワユニットを出て、流体接続された（例えば、導管、コネクタ、及び／又はポートを介して）加湿ユニットに入り、そこで、ガス流は加温加湿される。流路は、ガス流が加湿ユニットの流出口１８から呼吸装置１０のガス流出口１２に輸送されたところで終わる。
【００７３】
ガス流の流路の特定の部分又はセクション、例えば、加湿ユニット後の流路を完全に封止し得ることが理解されるだろう。さらに、流路は、加湿ユニットとブロワユニットとの間で封止してもよく、ブロワユニット前の流路の流入セクションも任意選択的に、ガス流入口組立体２０後の大部分に沿って略封止し得る。ガス流を輸送する流路を、ブロワユニットを加湿ユニットに流体接続するなど、様々な構成要素に流体接続する導管、ポート、及び／又はコネクタで画定し得、及び／又は一般に、例えば、ガス流を呼吸装置に通して向ける、内壁又は内面から形成される囲まれたチャネル又は通路を構成することができる、呼吸装置内の筐体及びケースの形成によって画定し得ることが理解されるだろう。
【００７４】
螺旋流入口流路−第１の実施形態
図１４は、ベース区画３６の後部に形成される流入アパーチャ５８を示す。流入アパーチャ５８は、ガス流入口組立体２０の背後に配置される。図１５を参照して、ガス流流路の流入セクションの第１の実施形態について説明する。ガス流流路の流入セクションは、主筐体のベース区画３６内に設けられ、呼吸装置１０の後部においてガス流入口組立体２０から、ベース区画の出口ポート３８まで延び、それから、上記のブロワユニットの流入ポート３７に入る。図１５に示されるように、示される流路の流入セクションは一般に、矢印ＸＸで示される経路を辿る。
【００７５】
この実施形態では、流路の流入セクションの少なくとも一部は、出口ポート３８に達する際且つ出口ポート３８を介してブロワユニット区画に入る前に安定した空気流を促進するような形状又は構成を有する。安定した空気流は、ノイズを低減し、流路のセンサゾーン内のセンサ組立体によって測定される検知ガス特性の精度を増大させることに役立つ。この実施形態では、安定した流れは、螺旋形であるか、又は螺旋形コース若しくは経路を提供する流路の流入セクションの少なくとも一部分によって生成又は提供される。例えば、図１５に示されるように、矢印ＸＸで示される流路の少なくとも一部分は、徐々に締まる経路の形態である。「螺旋形」又は「螺旋」という語句は、連続し、開始点から終了点まで、１つ又は複数の巻きで徐々に巻かれる流路の任意の形態を意味することが意図される。半径低減率が一定又は可変であり得る、中心点又は中心軸に対して半径が低減する連続し、徐々に締まる曲線であるか、それとも基準点が中央に配置されているか否かに関係なく、経路が最も外側の巻き内に配置される基準点に向けて螺旋するように流路が巻かれた（すなわち、少なくとも１つの巻きで）、図１４に示される任意の形状の螺旋経路であるかに関係なく、任意の均一又は非均一な螺旋経路が包含されることが意図される。
【００７６】
流路の螺旋部は、設計要件に応じて、流路の流入セクション全体の大部分を形成してもよく、又は代替的に、流路の流入セクションの小部分を形成してもよい。この実施形態では、流路の螺旋部は概ね、４２で示される場所から開始され、概ね４４で示される場所で、内向きの１つの螺旋巻き後に終了する。流路の流入セクションは、螺旋部の開始４２の前に初期セクション又は部分が全体として４６で示される流入口ゾーンで開始され、そして、螺旋部の終了４４後に全体的に４８で示される終了セクション又は部分で終わる。この実施形態では、流路の流入セクションの終了部は、ブロワユニットへの出口ポート３８が内部に配置されるより大きな遷移ゾーン４８に向かって開く徐々に巻かれる流路の形態である。遷移ゾーン４８は略湾曲した周壁を備え、周壁は、円周の少なくとも一部分に略一致し得るか、又は平面で見た場合に他の様式で湾曲するか、若しくは凹形をとる。図１５では、遷移ゾーンの円周壁セクションは、遷移ゾーン４８内の中心点Ｙを中心として５０と５２との間に画定される。遷移ゾーン内の壁の形状は、流路の流入セクションを出て、ブロワユニットに入る際に、ガス流の安定した流れを促進し続けるように構成される。
【００７７】
上述したように、呼吸装置１０内の流路は、流路の様々なセクションを流体接続するコネクタ、ポート、及び／又は他の結合部を含む呼吸装置の導管、チューブ、筐体、又はケースの組み合わせから形成し得る。この実施形態では、流路の流入セクションは、２つの同じ広さに広がる壁５４及び５６によって略画定され、２つの壁５４及び５６は、互いから離間され、ベース区画内に囲まれて、ベース区画の上蓋３６ａ及び主筐体（図７参照）の筐体下部２６のベース部又は下側部２６ａ等の水平に延びる上下の壁又は表面により囲まれた導管、チャネル、又は通路を形成する。この実施形態に示されるように、壁５４、５６は直立しており、ベース区画の略水平の包囲上蓋３６ａと、筐体下部２６の下側部２６ａとに対して略直交するか、又は略垂直に延びる。同じ広さに広がる壁５４及び５６が代替的に、１つ又は複数の平坦なプレート又は部材によって上及び／又は下から囲まれてもよいことが理解されるだろう。この実施形態では、流路、少なくとも流入セクションの螺旋部内の流路は、略矩形又は正方形の断面形を有するが、これが必須ではないことが理解されるだろう。代替の実施形態では、流路は、円形、楕円形、又は他の形状を含む任意の他の所望の断面形を有するように構成し得、形状は、流路の長さに沿って均一であってもよく、又は２つ以上の形状及び／又はサイズの間で変化してもよい。流入セクション、特に流路の流入セクションの螺旋部を、所望の螺旋形で延びるように形成される剛性形状の導管又はチューブから形成してもよいことも理解されるだろう。
【００７８】
この実施形態では、流路の流入セクションの螺旋部の断面積は、螺旋部の長さに沿って略均一であるが、代替の実施形態では、断面積は螺旋部の長さに沿って非均一であってもよい。特に、同じ広がりに広がる壁５４と５６との間の幅（Ｗ）は、この実施形態では、流入セクションの螺旋部全体を通して略一定であるが、必要な場合、代替の実施形態では、螺旋部の流さに沿って可変であってもよい。図１７を参照すると、壁の高さ（Ｈ）も、好ましくは、流路の流入セクションの、少なくとも螺旋部に沿って一定であるが、他の実施形態では、必要な場合、可変であるように構成し得る。
【００７９】
この実施形態では、流路の流入セクション全体は、流路が出口ポート３８に遷移するまで、流入セクション内、少なくとも流入セクションの螺旋部内での流路の垂直でのずれ又は変位がないように、ベース区画３６内の略同じ平面内に延び、出口ポート３８において、流路は、ベース区画３６上方のブロワユニットケース３２内に垂直に延びる。
【００８０】
この実施形態では、流路の遷移ゾーン前に実質的に配置される単一の螺旋部があり、遷移ゾーンにおいて、流路はブロワユニット区画３２に入る。しかし、代替の実施形態では、流路が、流路内に直列配置された２つ以上の別個の螺旋部を備えてもよいことが理解されるだろう。複数の螺旋部がある場合、全てブロワユニットの前に配置してもよく、若しくはブロワユニット後、加湿ユニット前において流路に配置してもよく、又は代替的には、各領域に少なくとも１つの螺旋部を提供してもよい。好ましい実施形態では、１つ又は複数の螺旋部は、好ましくは、流路が加湿ユニットに入る前に提供され、より好ましくは、流路がブロワユニット又は安定した流れの促進が、ノイズ低減又はガス流特性検知精度にとって有益である流路の任意の他のセクションに入る前に提供される。
【００８１】
センサ組立体
図１５〜図１７を参照すると、呼吸装置１０は、ガス流の様々な特性又はパラメータを検知する、加湿ユニットの前で流路に沿って配置又は設置されるセンサ組立体６０を備える。この実施形態では、センサ組立体６０は、流路の流入セクションのセンサゾーン、好ましくは、ガス流が安定した流れ特性を有する場合、流路の流入セクションの螺旋部内に設けられる。センサ組立体６０は、流路を流れているガス流の１つ又は複数の特性を検出又は検知する１つ又は複数のセンサ、センサ構成要素、又はセンサ装置を受け取って保持するように構成又は適合される図１６及び図１７に示されるセンサ筐体を備える。図１６及び図１７は、明確にするために、いかなるセンサもないセンサ組立体６０の筐体を示す。筐体及びセンサについて、図１９〜図２４を参照して更に詳細に説明する。
【００８２】
この実施形態では、センサ筐体は、所望の場合には、交換、保守、又は修理のために取り外すことができるように、流路内に脱着可能に固定、搭載、係合、保持、又は嵌合されるモジュール式構成要素である。この実施形態では、流入セクションでの流路の壁５６及び５４は、流路の略直線セクション６１内で不連続であり、それにより、センサ組立体６０のセンサ筐体を受けて保持し得る受け又は搭載スロット、アパーチャ、溝、又はギャップを提供する。設置される場合、センサ組立体の筐体は、不連続壁５４、５６によって提供される保持ギャップを橋渡しして、流路を完成させる。この構成を用いて、センサ組立体６０は、呼吸装置のバルク流路又は主流路内のガス流の１つ又は複数の特性の検知を提供するように構成される。換言すれば、センサ組立体６０は、呼吸装置を通るバルク流路又は主流路に対する別個のチャンバ又は補助流路に配置されない。
【００８３】
この実施形態では、センサ筐体は、摩擦嵌合を介して流路の搭載アパーチャ内で受けられ保持されるように構成される。しかし、クリップシステム、ラッチシステム、スナップ嵌め、又は任意の他の脱着可能な構成を含め、任意の他の脱着可能な搭載構成又は保持システムを代替的に使用してもよいことが理解されるだろう。
【００８４】
センサ組立体６０は、流路のガス流の１つ又は複数の特性を検知する１つ又は複数のセンサを搭載するように構成又は適合し得る。任意の適するセンサは、理解されるように、センサ筐体に搭載し得る。この実施形態では、センサ組立体は少なくとも、ガス流内の１つ又は複数のガスのガス組成又は濃度を検知又は測定するガス組成センサを備える。この実施形態では、ガス組成センサは、ガス濃度の特定に超音波又は音波を利用する超音波ガス組成センサシステムの形態である。特に、超音波ガス組成センサは、２成分ガス混合物内の２つのガスの相対ガス濃度を特定する２成分ガス検知又は分析を利用する。この実施形態では、ガス組成センサは、バルクガス流フロー内の酸素濃度を測定するように構成され、バルクガス流フローは、基本的に窒素（Ｎ2）及び酸素（Ｏ2）の２成分ガス混合物である、補足酸素で増強された大気空気からなる。超音波ガス濃度センサを、窒素（Ｎ2）及び二酸化炭素（ＣＯ2）又は任意の他の比率の２つのガスを含め、ガス流内の大気空気と混合された他の増強ガスのガス濃度を測定するように構成し得ることも理解されるだろう。例えば、超音波ガス濃度センサは、二酸化炭素（ＣＯ2）を測定し、制御された二酸化炭素レベルを患者に送り、患者の呼吸パターンを制御するように構成し得る。患者への二酸化炭素レベルを調整することにより、患者のチェーンストーク呼吸を制御することができる。患者の呼吸パターンの制御は、高地状況を模倣するアスリートトレーニング等の幾つかの状況で有用であり得る。
【００８５】
上述したように、この実施形態では、呼吸装置１０はガス流入口組立体２０を備え、この組立体２０は、周囲大気空気と、酸素供給ライン又はガスボトルからの酸素等の補足ガスとを受け取るように構成される。しかし、空気供給が必ずしも周囲である必要はなく、空気をガス吸入口組立体に空気供給ライン又はガスボトルから供給してもよいことが理解されるだろう。さらに、呼吸装置１０が必ずしも空気の供給を受け取る必要がないことが理解されるだろう。呼吸装置１０は、混合して、続けて患者インタフェースを介してエンドユーザに送るために適する任意の２つ以上のガスの供給を受け取るように構成し得る。ガスは、中央ガス供給ラインから、ガスボトルから、又は他の様式を含め、任意の適する手段によって呼吸装置のガス流入口組立体に供給し得る。
【００８６】
この実施形態では、センサ組立体６０は、ガス流の温度を測定するように構成される温度センサと、流路でのガス流の流量を検知するように構成される流量センサとも備える。
【００８７】
直接流入口流路−第２の実施形態
図１８Ａ〜図１８Ｃを参照して、ベース区画３６内のガス流流路の流入セクションの第２の実施形態について説明する。図面中の同様の参照符号は、図１４〜図１７を参照して説明した第１の実施形態の螺旋流入口流路と同様の構成要素を表す。この第２の実施形態では、流路の流入セクションは、ベース区画３６の流入アパーチャ５８と出口ポート３８との間のより短くより直接的な流路である。より短くより直接的な流路により、ベース区画でのガス滞留時間が短縮され、それにより、周囲の電子構成要素に起因するガスの加熱が低減する。
【００８８】
この実施形態では、流入口流路は、流入アパーチャ５８と出口ポート３８との間に延びる３つの主ゾーン又は主領域によって画定することができる。３つの領域は、流入口ゾーン３９と、センサゾーン４１と、遷移ゾーン４３とである。
【００８９】
図１８Ａを参照すると、流入口ゾーン又は領域３９は、流入アパーチャ５８と、大凡センサゾーン４１前の遷移ラインＥＥとの間に延びる。この実施形態では、流入口流路の流入口ゾーン３９は、２つの壁４５と４７との間に画定され、壁４５及び４７は、流入アパーチャ５８において、又は流入アパーチャ５８に向けてからセンサ組立体６０に延びる。この実施形態では、流入口ゾーン３９の断面積は、流入アパーチャ５８からセンサゾーン４１への遷移ラインＥＥに向かって徐々に減少又は低減し、それにより、流入口ゾーンでの壁の外形は、漏斗のような構成を形成する。例えば、側壁４５及び４７は、遷移ラインＥＥにおいて、又は遷移ラインＥＥに向けての互いからの変位に相対して、流入アパーチャ５８において互いからより広い変位を有する。換言すれば、側壁４５と４７との間のこの距離又は変位は、流入口ゾーン３９が流入アパーチャ５８での広い開口部で始まり、流路が、センサゾーン４１前の遷移ラインＥＥに向けて徐々に狭まるように、流入アパーチャ５８から遷移ラインＥＥに向かって低減する。流入口ゾーンのこの漏斗のような構成は、加速するガス流フローを生み出し、続くセンサゾーンでのより安定したガス流を促進する。
【００９０】
任意選択的に、流入口ゾーン３９に、１つ又は複数のフローディレクタ４９を設け得る。この実施形態では、流入口ゾーン３９は、ガス流入口組立体からセンサゾーンに直接的な直線流路ではないという点で湾曲を備え、これは、流入口流路の１つ又は複数の領域において、流入口流路にわたり不均等な流れ又は速度勾配を生み出すおそれがある。これを相殺するために、流入口ゾーン３９には、複数のフローディレクタ４９が設けられ、フローディレクタ４９は、流路のいかなる特定の壁にも向けて付勢されない、センサゾーン４１への均等な空気流の促進を支援する外形又は形状が構成又は提供される弓形フィン又は湾曲フィン（図１８Ｃにより明確に示される）の形態である。フローディレクタ４９の数及び形状又は外形を、センサゾーン４１への所望の角度で空気流を向けるのを支援するように変更し得るが、好ましくは、バルクフローが、遷移ラインＥＥ又はセンサ組立体６０の前部開口部に対して略直交する方向でセンサゾーンに入るように構成されることが理解されるだろう。この実施形態では、フィン４９は、センサゾーン４１を通る安定した流れの提供を支援する。図１８Ｂを参照すると、フィン４９は、繊細であるか、又は較正されたセンサ構成要素を含み得るセンサ組立体６０へのユーザによるアクセスを阻止する改竄ガード又は保護ガードとしても機能し得る。この実施形態では、フィン４９は、ベース区画３６の上蓋３６ａに一体形成され、上蓋３６ａから流入口ゾーン内に下方に懸架されるが、フィンを代替的に、筐体下部２６のベース部若しくは下側部２６ａに一体形成するか、又はベース部若しくは下側部２６ａから流入口ゾーン内に上方に延びるように取り付けてもよいことが理解されるだろう。フィンが必ずしも垂直に向けられる必要がなく、代替的に、流入口流路の流入口ゾーンの側壁から延びるか、又は任意の他の適する角度若しくは角度の混合物で向けられるように、水平に向けられてもよいことも理解されるだろう。
【００９１】
センサゾーン４１は、大凡遷移ラインＥＥでの流入口ゾーンの終わりと、大凡遷移ラインＦＦでの遷移ゾーン４３の始まりとの間に画定される。センサゾーンは、図１５〜図１７を参照して上述したタイプの、及びバルク流路に知って配置されて、ガス流の様々な特性又はパラメータを検知するモジュール式脱着可能センサ組立体６０を備える。示されるように、側壁４５、４７の終了部はセンサ組立体６０の開放前側内に延び、遷移ゾーン４３のループ壁５１の終了部は、センサ組立体６０の逆の後方出口側に延びる。図１５〜図１７を参照して説明した実施形態と同様に、センサ組立体６０は、側壁４５、４７の終了部とループ壁５１との間に提供又は形成される保持ギャップ内に脱着可能に保持される。
【００９２】
遷移ゾーン４３は、略湾曲した周壁又はループ壁５１によって画定され、この壁５１は、円周の少なくとも大部分に略一致し得るか、又は平面で見た場合に他の様式で湾曲するか、若しくは凹形をとる。この実施形態では、ループ壁５１は、中心点５３を中心として周囲に延び得る。遷移ゾーン４３への開口部は、中心点５３に相対して外側に延びて、センサ組立体６０の出口側に係合するループ壁の終了部によって画定される。示されるように、略円形又は球形の遷移ゾーン４３は、ベース区画３６の上蓋３６ａに設けられる出口ポート３８を通る空気流の流出口を備える。
【００９３】
図１４〜図１７を参照して説明した螺旋流入口流路実施形態と同様に、図１８Ａ〜図１８Ｃのより短い直接流入口流路も、水平に延びる上下の壁又は表面によって上下から囲まれて、囲まれたチャネル又は空気流通路を形成する。流路は主に、同じ広さに広がる側壁４５、４７及びループ壁５１によって画定され、これらの側壁は、例えば、ベース区画の上蓋３６ａ及び主筐体の筐体下部２６のベース部又は下側部２６ａ（図７参照）によって上下から囲まれる。示されるように、この実施形態では、側壁４５、４７、５１は直立しており、ベース区画の略水平の包囲上蓋３６ａと、筐体下部２６の下側部２６ａとに対して略直交するか、又は略垂直に延びる。
【００９４】
センサ筐体及び位置
上記実施形態では、センサ組立体６０はセンサゾーンに配置され、流路の流入セクションはブロワユニット前にある。しかし、センサ組立体は代替的に、加湿ユニット前の流路の任意の他の適する部分にあるセンサゾーンに配置してもよい。特に、流路のセンサゾーンは、ブロワユニットの前又は後を含め、流路内の、加湿ユニットの上流（すなわち、前）の任意の位置に配置し得る。
【００９５】
センサ組立体６０のセンサ筐体及びセンサについてこれより更に詳細に説明する。センサ組立体は、図１４〜図１８Ｃを参照して説明した螺旋又は直接流入口流路実施形態のいずれかで利用し得る。図１９〜図２３を参照すると、センサ組立体６０はセンサ筐体６２を備え、センサ筐体には、バルク流路でのガス流の様々な特性を測定する１つ又は複数のセンサが搭載される。この実施形態では、センサ筐体６２は、第１の端部７４と第２の端部７６との間に延びる中央本体６３を備える。本体６３は中空であり、両端部に開口部を有し、それにより、ガス流が本体６３の第１の端部７４から第２の端部７６に通る通路又は検知通路８６を提供する。特に、ガス流は一般に、本体６３の第１の端部７４から第２の端部７６に延びる、図２０に示される流軸１１０の方向に流れる。
【００９６】
この実施形態では、本体６３は、２つの離間された垂直側壁６４及び６６と、垂直に延びる側壁６４、６６の間に水平に延びる上壁６８及び下壁７０とにより、第１の端部７４と第２の端部７６との間に形成され、壁は集合的に検知通路を形成し画定する。本体は両端部７４、７６において開いており、両端部７４、７６は使用に当たり、ガス流が、側壁、上壁、及び下壁の内面によって画定される本体の中空内部又はキャビティを通って移動するように、流路方向と位置合わせされる。この実施形態では、側壁６４と６６との間の幅Ｗ及び上壁６８と下壁７０との間の高さ（Ｈ）は、センサ組立体の何れかの側を直に囲む流路の部分又はセクションの断面寸法に略対応する。
【００９７】
センサの搭載
温度センサ及び流量センサ
図１９、図２０、及び図２２を参照すると、センサ組立体のこの実施形態には、温度センサ８２及び流量センサ８４を受けて保持する搭載アパーチャ７８、８０が設けられる。例えば、温度センサ搭載アパーチャ７８が、センサ筐体の本体の上壁６８に設けられ、温度センサを受けて保持するように構成される。同様に、別個の流量センサ搭載アパーチャ８０が、センサ筐体６２の本体６３の上壁６８に設けられ、流量センサを受けて保持するような形状又は構成を有する。センサ８２、８４は、摩擦嵌合、スナップ嵌め、又は任意の他の結合若しくは固定構成で各搭載アパーチャ７８、８０内に保持し得る。温度センサには、任意選択的に、赤外線放射遮蔽構成要素を設けることもできる。
【００９８】
図２０を参照すると、温度センサ８２及び流量センサ８４は、本体６３の上壁６８から検知通路８６内に下方に懸架されるように搭載される。好ましくは、温度センサ８２及び流量センサ８４は、本体の端部７４と７６との間の略中央で懸架される。センサ８２、８４は必ずしも、上壁から懸架される必要はなく、また必ずしも垂直に向けられる必要はない。他の実施形態では、センサ８２、８４は、センサ筐体の本体６３の上壁、下壁、又は側壁のうちの任意の壁に搭載又は固定し得る。さらに、支持壁又は搭載壁から検知通路へのセンサ８２、８４の向きは、垂直、水平、又は任意の他の適する角度であり得る。センサ８２、８４は必ずしも、支持壁に相対して中央に配置される必要はなく、検知通路内の任意の適する位置、中央、又は他の位置に配置し得る。センサ８２、８４は、同じ又は異なる支持壁から延びることもできる。
【００９９】
この実施形態では、温度センサ８２はモノリシック、デジタル、ＩＣ、温度送受信器であり得るが、アナログであれ、デジタルであれ関係なく、任意の代替のタイプの温度センサを利用し得る。この実施形態では、温度センサ８２はシリコンバンドギャップ温度送受信器である。
【０１００】
この実施形態では、流量センサ８４は熱線風速計（ＨＷＡ）フロー検出器を備える。一形態では、流量センサ８４は定抵抗ＨＷＡであり、この場合、検出器は、検知通路に配置された温度被制御加熱ビードサーミスタを備え、そこから、予め設定された温度にビードを維持するために必要なエネルギー（電流）に基づいて流量を特定することができる。予め設定される温度は、好ましくは、Ｏ2測定の状況で検知通路を流れるガス流の局所温度をあまり変更しないレベルに設定されるように構成される。他の形態では、流量センサ８４が定電流ＨＷＡを備え得、その場合、流量が、加熱されたビードの抵抗の変化から特定されることが理解されるだろう。必要な場合、流量センサ又は検出器の任意の他の適する形態を使用してもよいことが理解されるだろう。
【０１０１】
超音波ガス組成センサシステム
この実施形態では、超音波ガス組成センサが実施され、更に詳細に後述するように、非侵襲的クロスフロービーム、超音波エネルギーのパルス又は波に基づく２成分ガス分析を使用して、ガス流内の２成分ガス混合物の相対ガス濃度を検知するように構成される。
【０１０２】
センサ筐体は、超音波ガス組成センサシステムの超音波トランスデューサ構成要素を受けて保持する、全体的に９０及び９２で示されるトランスデューサ搭載組立体を備える。この実施形態では、トランスデューサ搭載組立体９０、９２は、本体６３の対向する側に設けられ、それにより、検知通路８６の対向する側に一対のトランスデューサを支持又は搭載する。トランスデューサは、検知通路８６と位置合わせされるとともに、検知通路８６を挟んで互いに面する。トランスデューサ搭載組立体９０、９２は、本体の各側壁６４、６６に搭載又は固定される。各トランスデューサ搭載組立体又はフォーメーションは、ガス組成センサシステムの相補的な寸法及び形状のトランスデューサ構成要素を受けて保持するような寸法及び形状の保持キャビティ９０ａ、９２ａを提供するように構成される。この実施形態では、受けキャビティ９０ａ、９２ａは略円筒形であり、本体の側壁６４、６６のそれぞれを通して提供される円形トランスデューサアパーチャに位置合わせされるか、又は円形トランスデューサアパーチャと同軸である。図１９は、側壁６６のトランスデューサアパーチャ６６ａを示し、側壁６４は同様に、対応するトランスデューサアパーチャを有するが、これは見えない。代替の実施形態では、トランスデューサ対を本体の上壁６８及び下壁７０に搭載可能であり、残りの温度センサ８２及び流量センサ８４は、いずれかの側壁６４、６６から検知通路内に延びるように搭載されることが理解されるだろう。
【０１０３】
図２３及び図２４を参照すると、この実施形態では、各トランスデューサ搭載組立体９０、９２は円筒形ベース部９０ｂ、９２ｂを有し、円筒形ベース部は、一端部では、本体６３の各側壁６４、６６の各外面に固定又は搭載され、他端部において、円筒形ベース部から延びる少なくとも一対の対向するクリップ、クリップ部、又はフィンガ９０ｃ、９２ｃが設けられる。円筒形ベース部は、延長クリップと組み合わせて、集合的に保持キャビティ９０ａ、９２ａを画定し、その中に、トランスデューサ構成要素がしっかりと受けられ保持される。この実施形態では、各トランスデューサ搭載組立体には、円筒形ベース部９０ｂ、９２ｂの全周に離間されるクリップ又はクリップ部９０ｃ、９２ｃの円形アレイが設けられる。この実施形態では、３つの対向する対を形成する６つのクリップ部９０ｃ、９２ｃが提供されるが、必要な場合、クリップ部の対の数を変更し得ることが理解されるだろう。
【０１０４】
クリップ部９０ｃ、９２ｃは弾性可撓性を有し得、それにより、９０ｄ、９２ｄでそれぞれ示される各受けキャビティ９０ａ、９２ａの軸に相対してわずかに外側に撓み得る。クリップ部９０ｃ、９２ｃは、各円筒形ベース部９０ｂ、９２ｂから離れて延びるにつれて、各キャビティ軸９０ｄ、９２ｄに向かう方向で先細りするように構成することもできる。これは、ベース部９０ｂ、９２ｂから離れて延びるにつれて、直径が低減するか、又は徐々に先細りする寸法を有する円筒形保持キャビティを提供する。図２４に示されるように、各クリップ部９０ｃ、９２ｃは、関連付けられた円筒形ベース部９０ｂ、９２ｂから離れて延びる長さに沿って断面で見た場合、略弓形又は凹形であり、それにより、円筒形の円周部に一致する。図２３を参照すると、例として、各クリップ部は、円筒形ベース部９０ｂに配置された第１の端部９４と、トランスデューサ受けキャビティ９０ａの端部を画定する第２の端部又は終了端部９６との間に延びる。この実施形態では、各クリップ部の終了端部９６に向かう内面には、リッジ又はショルダ部９７が設けられ、リッジ又はショルダ部９７は、保持キャビティ内に延び、保持キャビティ内にトランスデューサ構成要素を固定するストップ又はグリップフォーメーションとして機能するように構成される。
【０１０５】
各トランスデューサ搭載組立体９０、９２内に、通常、円筒形状のトランスデューサ構成要素を設置する際、クリップ部９０ｃ、９２ｃは、トランスデューサ構成要素が部分的に挿入されると、わずかに外側に撓み、次に、トランスデューサがキャビティ内に完全に係合すると、それぞれの静止状態に戻り、それにより、トランスデューサをそれぞれの保持キャビティ内にしっかりと握るか、又は保持する。
【０１０６】
必要な場合、トランスデューサ要素をセンサ筐体内で受けてそこに保持するために、他のトランスデューサ搭載組立体を代替的に使用することも可能なことが理解されるだろう。好ましくは、トランスデューサ搭載組立体は、トランスデューサ構成要素を脱着可能に固定可能なように構成され、それにより、トランスデューサは、必要な場合、交換又は修理のために、センサ筐体から取り外すことができる。
【０１０７】
この実施形態では、本体６３及びトランスデューサ搭載組立体は、プラスチック等の適する材料から、互いに一体形成される。しかし、センサ筐体のパーツを別記に形成して、次に、一緒に固定又は接続してもよいことが理解されるだろう。
【０１０８】
図２０を参照して、センサ筐体の各トランスデューサ搭載組立体９０、９２に設置されたトランスデューサ１００、１０２を示す。この実施形態では、トランスデューサ及びトランスデューサ搭載組立体は、トランスデューサの前面が本体６３の側壁６４、６６における各トランスデューサアパーチャ内に延び、それにより、側壁の残りの内面と同一の平面に置かれるように協働するように構成される。例えば、図２０を参照して、トランスデューサ１０２の前面１０２ｂは、側壁６６の内面６６ｂと略同じ平面にあるように示される。同じ構成が、対向するトランスデューサ構成要素１００にも提供される。
【０１０９】
示されるように、この構成は一対のトランスデューサ１００、１０２を提供し、これらのトランスデューサは、本体の第１の端部７４から第２の端部７６に通路８６を通って移動するガス流の方向又は流軸１１０に略直交する方向に、超音波が送信されるように、互いに位置合わせされるとともに、本体６３の検知通路８６を挟んで互いに面する。
【０１１０】
音響ビーム路長を定義する一対のトランスデューサ１００、１０２間の距離（例えば、図１９においてＷで示される）は、所望の感度を提供するのに十分に大きいが、位相ラップラウンド不明瞭性を回避するのに十分に短いように選択される。例えば、トランスデューサ間の距離は、感度を増大させるのに十分に大きいように選択されるが、検知中のガス組成及び温度の範囲に予期される全位相シフトに基づいて制限される。
【０１１１】
センサ制御システム及び回路
図２０を参照すると、トランスデューサ１００、１０２の電気端子又はコネクタ１００ａ、１０２ａは、センサ筐体の本体６３の側から突出し、温度センサ８２及び流量センサ８４の電気端子８２ａ、８４ａは、本体６３の上壁６８の外面においてアクセス可能である。可撓性配線織物又はテープ１１２が、センサ筐体の側及び上面にわたり延びて、センサの電気端子への配線接続を提供し得る。配線１１２は、呼吸装置１０のセンサ制御システム及び回路まで延び、センサ制御システム及び回路は、これより更に後述するように、センサを制御するように構成される。
【０１１２】
図２５を参照すると、配線１１２を介してセンサ構成要素１００、１０２、８４、及び８２に電気的に接続されたセンサ制御システム１５０の一例を例として説明する。マイクロプロセッサ、マイクロコントローラ、デジタル信号プロセッサ等の任意のプログラマブル装置での実施を含め、電子センサ制御システム１５０をソフトウェア又はハードウェアで実施し得るとともに、及びこれが、メモリ及び関連付けられた入出力回路を適宜有し得ることが理解されるだろう。センサ制御システム１５０の様々なモジュールが、様々であり得、更に別個であり得、又は一体化し得、図２５が、センサ制御システムの一般機能についての単なる例として説明されることが理解されるだろう。センサ制御システム１５０は、呼吸装置の主制御システムと一体化してもよく、又は主コントローラ若しくは制御システムと通信する別個のサブシステムであってもよい。センサ制御システム１５０については、窒素／酸素混合物と略同等である空気／酸素混合物等の２成分ガス混合物内のガス組成又はガスの相対濃度を特定するように配置されるセンサの特定の配置又は構成を参照して説明される。しかし、センサ制御システムを、ガス流内の他のガス濃度を示す情報を提供するように構成し得ることが理解されるだろう。
【０１１３】
流量モジュール
流量センサ８４は、センサ筐体の検知通路８６を通って流れるガス流１１０の、例えば毎分リットル数単位での流量を検知し、代表的な流量信号１５２を生成するように構成され、この信号は、センサ制御システム１５０内の流量モジュール１５４によって受信され処理される。モータ速度センサ１２０も、好ましくは、モータ速度、例えば、ブロワユニットモータの毎分回転数（ｒｐｍ）を検知するためにブロワユニットに設けられる。モータ速度センサ１２０は代表的なモータ速度信号１５６を生成し、この信号は、モータ速度モジュール１５８によって受信され処理される。
【０１１４】
温度モジュール
温度モジュール１６０は、センサ筐体の検知通路８６を通って流れるガス流の温度を表す、温度センサ８２によって生成される温度信号１６２を受信して処理するように構成される。この実施形態では、温度センサ８２は、トランスデューサ１００と１０２との間の音響ビーム路の近傍でのガス流の温度を検知するように構成される。
【０１１５】
温度モジュール１６０は任意選択的に、温度補償を温度信号１６２に適用して、温度センサ８２によって生成される潜在的な誤差又はオフセットを補償するように構成される。特に、センサ組立体６０はブロワユニット区画及び他の電子回路の後に配置されるため、回路及びモータからの熱が、動作状況に応じて、温度センサ８２によって検知される温度に影響を及ぼすおそれがある。例えば、センサ組立体上方の熱に起因して、温度信号１６２は、真の温度よりも高いガス流温度を示すことがある。特定の動作状況でのこの潜在的な誤差を補償するために、温度モジュール１６０は、以下の式に基づいて温度補償係数又は補正を適用するように構成される：Ｔcorrected＝Ｔsensor＋ΔＴ。
式中：
・Ｔcorrectedは、補償後の補正された温度であり、
・Ｔsensorは、信号１６２によって表される、温度センサ８２によって検知される温度であり、
・ΔＴは、呼吸装置の現在の動作状況に基づいて計算又は予測される温度誤差
である。
【０１１６】
温度誤差（ΔＴ）は、呼吸装置１０の動作状況に応じて変更される。この実施形態では、温度誤差は、呼吸装置内のガス流の現在の流量１５２と、現在のモータ速度１５６とに関連するシステム状況との比例関係に基づいて計算される。通常、流量の増大は冷却の影響を有し、一方、モータ速度の増大は、使用電力の増大に起因して、呼吸装置の筐体内の加熱を増大させる。動作に当たり、温度モジュールは、現在のシステム動作状況、特に現在の流量１５２及びモータ速度１５６に基づいて温度誤差ΔＴを連続して、又は定期的に計算するように構成される。次に、更新された温度誤差ΔＴが、温度センサから検知された入力温度Ｔsensor１６２に適用されて、補正された温度Ｔcorrectedを生成する。
【０１１７】
一実施形態では、ΔＴ＝α×（モータ速度／流量）であり、式中、αは定数である。しかし、代替的に、呼吸装置の動作に関連し、温度センサ８２の近傍で生じる可能性が高い温度変動に影響を及ぼす１つ又は複数の他の動作状況又はシステム変動を考慮に入れる参照表又は他のアルゴリズムに基づいてΔＴを計算してもよいことが理解されるだろう。幾つかの実施形態では、ΔＴは、長期実行期間中に呼吸装置に蓄えられる熱等の温度変動に影響を有する時間に依存する影響を組み込み得る。例えば、ΔＴは、呼吸装置の１つ又は複数のパーツの熱キャパシタンスに起因するような時間により変動する影響を表す積分微分式として表すこともできる。
【０１１８】
ガス組成モジュール
ガス組成センサシステムは、超音波２成分ガス検知システムとして構成される。上述したように、この実施形態でのガス組成検知システムは、センサ筐体の検知通路の両側に設けられる一対の超音波トランスデューサ構成要素１００、１０２を備える。トランスデューサ構成要素のうちの一方である１００は、検知通路を通るガス流の方向に略直交する方向において、通路にわたり単方向超音波又は音響ビーム波又はパルスを他方の超音波トランスデューサに送信する超音波送信器として構成され、他方の超音波トランスデューサは、通路の他方の側で、送信された超音波又はパルスを受信する超音波受信器として構成される。この実施形態では、トランスデューサ構成要素１００、１０２は、通常、狭い帯域幅で動作する圧電セラミックトランスデューサ素子又は任意の他の適する、動作可能な超音波トランスデューサ素子であり得る。この実施形態では、トランスデューサ素子は、約２５ｋＨｚの周波数で動作するが、これは所望に応じて変更し得る。好ましい形態では、動作周波数は、ガス組成検知がユーザにとって無音であるように、人間の可聴音響スペクトルよりも上であり、且つ／又はノイズ源からの干渉を低減又は最小化するのに十分に高い周波数であるように選択される。
【０１１９】
超音波送信器１００及び受信器１０２は、ガス組成モジュール１７４のドライバ回路１７０及び受信器回路１７２によってそれぞれ制御される。特に、ドライバ回路１７０は、制御励起信号１７６を超音波トランスデューサに提供して、超音波エネルギーのパルスを送信するように超音波トランスデューサを駆動する。超音波受信器１０２は、パルスを検知し、代表的な受信信号１７８を生成し、この信号は、受信器回路１７２によって受信されて処理される。この実施形態では、パルスシステムが利用されるが、代替の実施形態では、連続波又は定常波手法を利用し得る。
【０１２０】
超音波を使用する２成分ガス分析は、この場合では、センサ筐体の検知通路８６を通って流れるガス流のバルク流又は主流であるガス試料を通る音響パルスの速度の検知に基づく。音速は、ガスの平均分子重量及び温度の関数である。この構成では、ガス組成モジュール１７４は、温度モジュール１６０から、超音波トランスデューサ間のビーム路の間を流れるガスの指示温度を表す温度信号１６４を受信する。音の検知速度及び検知温度の知識を用いて、ガス流のガス組成を特定又は計算し得る。特に、検知通路にわたる音速の測定値を使用して、超音波を用いる２成分ガス分析の分野で既知のように、参照表の形態で記憶される経験的な関係、標準アルゴリズム、又はデータの参照により、２つの既知のガスの比率を推測し得る。代替的に、温度センサが利用されない場合、超音波トランスデューサのビーム路内のガス流の温度の推定値を、２成分ガス分析計算で使用してもよいことが理解されるだろう。そのような代替の実施形態では、ビーム路内のガス流の温度推定値を使用することができるように、ガス流の温度を狭い温度帯内にあるように調整又は制御し得る。
【０１２１】
幾つかの実施形態では、呼吸装置には、湿度センサを設けることもでき、湿度センサは、流路内に配置され、センサ組立体を通って流れるガス流の湿度を示す湿度信号を生成するように構成される。そのような実施形態では、ガス組成は、検知された音速と、検知された温度及び／又は検知された湿度によって特定し得る。湿度センサは、相対湿度センサ又は絶対湿度センサであり得る。幾つかの実施形態では、ガス組成は、温度センサを必要とせずに、検知された音速及び検知された湿度に基づいて特定し得る。
【０１２２】
ガス組成検知システムを使用して、ガス組成内の任意の２つの既知のガスの各比率を測定し得る。この実施形態では、ガス組成モジュールは、窒素／酸素混合物と略同等である、補足酸素が混合された空気の混合物内の相対ガス濃度を特定するように構成される。そのような２成分ガス混合物では、音速を監視し、温度を考慮に入れることにより、ガスの平均分子重量を特定することができ、したがって、２つのガスの相対濃度を特定し得る。この比率から、ガス流の酸素濃度又は窒素濃度を抽出し得る。
【０１２３】
この実施形態では、ガス組成モジュール１２４は分析器又はコントローラ１８０を備え、分析又はコントローラ１８０は、制御信号１７１、１７３を用いて、各ドライバ回路１７０及び受信器回路１７２を介して超音波トランスデューサ１００、１０２を動作させるように構成される。分析器１８０は、温度モジュール１６０からの補正温度信号１６４を受信して処理するようにも構成される。動作に当たり、分析器１８０は、検知通路にわたり単方向超音波又は音響パルスを所望の頻度で定期的に送信して、音響パルスの音速を特定するように構成される。次に、音速の測定値を、温度モジュール１６０からの温度の知識と共に使用して、ガス組成を特定する。音響パルスの速度は、タイマ回路を使用して、位相検出を介して、通路にわたって送信器１００から受信器１０２に直接又は間接的に移動する音響パルスの移動時間を測定することを含め、任意の所望の様式で特定し得る。適する信号処理が実施される場合、位相を追跡して、「ラップアラウンド」の影響を最小に抑えることができることが理解されるだろう。トランスデューサ素子１００と１０２との間の距離は既知であり、センサ筐体の側壁６４と６６との間の幅（図１９ではＷ）と同様であり、したがって、音速は、移動時間と、トランスデューサ間の距離（ビーム路長に対応する）とに基づいて特定することができる。特に、分析計には、トランスデューサ間の距離及び／又は音速検知を介してガス組成を特定するに当たり有用な任意の他の一般的に妥当な、又は装置固有の特徴を示すデータを予めプログラムし、そのデータを用いて較正し得る。較正は、温度の関数としてのトランスデューサ素子１００と１０２との間の距離の変化を考慮に入れることができる。例えば、センサ筐体の側壁６４と６６との間の距離は、温度が変化する場合に増減し得る。
【０１２４】
任意選択的に、ガス組成センサモジュールには、ユーザ選択可能又は予めプログラムされるスケーリング係数又は補正係数を構成して、好ましくは、圧力スイング吸着法を使用する市販の酸素濃縮器から呼吸装置に酸素が供給される場合に使用される酸素濃度を特定する際にアルゴンを考慮に入れ得る。例えば、ユーザは、制御システムをアクティブ化して、アルゴンスケーリング係数又はアルゴン補正係数を利用して、検知される酸素濃度を変更して、あらゆるアルゴン成分を除去し、計算酸素濃度をもたらし得る。
【０１２５】
センサ制御システム１５０は、センサ組立体又は他のセンサによって検知される様々な特性を示すデータ又は信号を出力し得る。例えば、モジュール１５４、１５８、１６０からの出力信号又はデータ１８２、１８４、及び１８６は、検知された流量１８２、モータ速度１８４、及び温度１８６を表し得る。同様に、ガス組成モジュールは、超音波ガス組成検知システムによって検知されるガス組成を示す１つ又は複数の出力信号又はデータ１８８を生成するように構成される。この実施形態では、出力信号１８８は、ガス流内の酸素割合又は酸素（Ｏ2）濃度を表し得る。代替的には、信号又は追加の信号は、窒素（Ｎ2）の濃度又は割合を表し得る。例えば、二酸化炭素（ＣＯ2）を含むが、これに限定されないガス流内の他のガス濃度を表す信号を提供するように、システムを変更し得ることも理解されるだろう。
【０１２６】
次に、呼吸装置の主コントローラが、１つ又は複数のガス濃度出力信号１８８を受信して処理し得る。例えば、主コントローラは、酸素信号１８８に基づいて、検知された酸素読み取り値を呼吸装置の出力ディスプレイに表示するように構成し得る。一実施形態では、ユーザ制御インタフェース３０（図８参照）は、超音波ガス組成センサシステムによって検知されたガス濃度読み取り値、例えば、酸素濃度又は他の１つ若しくは複数のガス濃度レベルを表示するように構成し得る。
【０１２７】
幾つかの実施形態では、主コントローラは、１つ又は複数のガス濃度レベル、例えば、酸素濃度が、最大閾値及び／又は最小閾値によって定義されるユーザ定義範囲内に留まるか否かを判断するように構成される。例えば、そのような実施形態では、主コントローラは、ガス濃度出力信号１８８に基づく検知ガス濃度レベルを、ユーザ定義又は選択ガス濃度レベル閾値と比較するように構成し得る。検知されたレベルが最小閾値未満であるか、若しくは最大閾値を超える場合、又は他の様式でユーザ定義範囲外である場合、主コントローラは、可聴、可視、触知性、又はこれらの任意の組み合わせであり得る、装置に組み込まれたアラームをトリガー又はアクティブ化し得る。主コントローラは任意選択的に、装置をシャットダウンするか、又はトリガーされる各アラームに適切な任意の他の動作機能をトリガーすることもできる。
【０１２８】
幾つかの実施形態では、呼吸装置１０は、国際公開第２００７／０６９９２２号パンフレットに記載されるタイプの消毒システム及び／又はクリーニングモードを備え、この国際公開パンフレットの内容を参照により援用する。そのような消毒システムは、加熱された乾性ガスを、ユーザインタフェースへのガス流路の部分に循環させることにより、熱消毒を利用する。そのような実施形態では、主コントローラは、任意の消毒システム又はクリーニングモードを開始する前に、検知酸素信号１８８に基づいて、ガス流路内の酸素濃度レベルが、予め設定される酸素濃度レベル未満であるか否かを判断するように構成される。例えば、主コントローラは、火災の危険を最小に抑えるために、検知酸素濃度が安全な範囲内、好ましくは約３０％未満になるまで、いかなるクリーニングモードの開始も阻止するように構成し得る。
【０１２９】
酸素信号１８８を更に使用して、ブロワユニットのモータ速度を自動的に制御して、ガス流の流量を変更し、それにより、酸素濃度を変更若しくは変えることができ、又は万が一、酸素濃度が予め設定された上限閾値若しくは下限閾値外になる場合には装置の動作を停止させることができる。代替的には、呼吸装置のユーザは、プリントされた参照表に基づいて酸素濃度を推定する必要なく、表示された酸素読み取り値からのリアルタイムフィードバックに基づいて、呼吸装置に接続された中央ガス源からの酸素供給流量を手動で制御し、それにより、酸素濃度を変更し得る。幾つかの実施形態では、呼吸装置は、中央ガス源からの酸素供給流量を自動的に変更するか、又は変える値を有し、それにより、酸素濃度を変更し得る。主コントローラは、酸素信号１８８を受信し、それに従って、所望の酸素濃度に対応する酸素信号１８８の所定の値に達するまで、酸素値を調整することができる。
【０１３０】
代替の超音波ガス組成センサシステム構成
図２６Ａ〜図２６Ｅを参照して、クロスフロー超音波ビーム又はパルスの送受信によってガス流を通る音速を検知するガス組成検知システムの超音波トランスデューサの様々な代替の構成について説明する。同様の参照符号は同様の構成要素を表す。
【０１３１】
図２６Ａを参照して、図１９〜図２５を参照して上述した実施形態のトランスデューサ構成２００を概略的に示す。示されるように、このトランスデューサ構成は、検知通路２０６の両側からそれぞれ対向する一対のトランスデューサ２０２、２０４がある構成を提供し、空気流路方向は全体的に２０８で示される。この構成２００では、トランスデューサ２０２、２０４のそれぞれは、専用送信器又は専用受信器のいずれかとして駆動され、それにより、超音波パルス２１０は、送信器トランスデューサから受信器トランスデューサに空気流路にわたって単方向に送信される。示されるように、トランスデューサ対は、空気流路方向２０８に対して位置合わせされ（すなわち、互いに変位なしの上流又は下流）、空気流路方向に略直交するクロスフローパルスを送信するように構成される。
【０１３２】
図２６Ｂを参照して、代替のトランスデューサ構成２２０を示し、この構成では、一対のトランスデューサ２２２、２２４が、検知通路の両側に互いに対向して設けられるが、各トランスデューサは、送信器及び受信器の両方として動作し得る。すなわち、各トランスデューサは超音波送信器−受信器又は送受信器である。この構成では、双方向超音波パルス２２６を送信器対２２２と２２４との間で送信し得る。例えば、パルスを、トランスデューサ間で前後に交互に、又は任意の他の順番若しくはパターンで送信し得る。ここでも、トランスデューサ対は、空気流路方向に対して位置合わせされ、空気流路方向に略直交するクロスフローパルスを送信するように構成される。
【０１３３】
図２６Ｃを参照して、代替のエコートランスデューサ構成２３０を示し、この構成では、送信器トランスデューサと受信器トランスデューサとの対は、単一の超音波送信器−受信器トランスデューサ２３２の形態で設けられ、このトランスデューサ２３２は、検知通路の片側に設けられ、検知通路２０６にわたってクロスフロー音響パルス２３６を送信し、検知通路の逆側から反射される反射パルス又はエコーを受信するように構成される。
【０１３４】
図２６Ｄを参照して、代替のトランスデューサ構成２４０を示し、この構成では、送信器トランスデューサ２４２及び受信器トランスデューサ２４４は、空気流路に対して互いから変位されており（すなわち、一方が他方の上流にある）、検知通路の両側にある。図２６Ｄでは、受信器が送信器の上流にあるが、逆の構成を利用することも可能である。この構成を用いる場合、送信器２４２は、ビーム２４６で示されるように、検知通路２０６にわたり受信器２４４に直接クロスフローパルスを送信するか、又はビーム２４８で示されるように、少なくとも２つの反射を含む反射路によってより長い間接的な路長を生み出すことができる。示されるように、この変位構成を用いる場合、音響パルスは、空気流路方向２０８に略直交するのではなく、傾斜して横断するクロスフロー方向を有する。単方向構成が示されるが、トランスデューサ２４２、２４４が代替的に、超音波送信器−受信器であり、双方向ビームパルスをトランスデューサ間で前後（すなわち、空気流に対して上流及び下流の両方）に送信可能にしてもよいことも理解されるだろう。
【０１３５】
図２６Ｅを参照して、図２６Ｄの構成を変更したものである代替のトランスデューサ構成２５０を示し、この構成では、送信器２５２及び受信器２５４はここでも、空気流方向２０８において互いから変位されるが、検知通路の同じ側に配置され、それにより、送信されるクロスフローパルス２５６は、検知通路２０６の逆側からの少なくとも１つの反射（又はより長い路長の場合には複数の反射）を備える。その他の点では、双方向動作並びに送信器及び受信器の位置の交換を含め、図２６Ｄを参照して説明される代替の選択肢と同じ代替の選択肢が適用される。
【０１３６】
図２７Ａ〜図２７Ｃを参照して、流れに沿った超音波ビーム又はパルスの送受信によってガス流を通る音速を検知するガス組成検知システムの超音波トランスデューサの様々な更なる代替の構成について説明する。同様の参照符号は同様の構成要素を表す。
【０１３７】
図２７Ａを参照して、代替のトランスデューサ構成２６０を示し、この構成では、検知通路２０６の両側から互いに対向する一対のトランスデューサ２６２、２６４があり、空気流路方向又は軸は全体的に２０８で示される。この構成２６０では、トランスデューサ２６２、２６４のそれぞれは、専用送信器又は専用受信器のいずれかとして駆動され、それにより、検知通路２０６でのガス流路軸２０８に略位置合わせされるか、又は平行する流れに沿った超音波パルス２６６が、送信器と受信器との間のビーム路で単方向的に送信される。示される実施形態では、送信器は受信器の上流にあるが、逆の構成を利用することも可能なことが理解されるだろう。この構成を用いる場合、流量センサが検知通路に設けられて、検知通路でのガス流の流量を示す流量信号を提供する。前の実施形態を用いて上述された様式と同様にして、検知通路での音速を導出又は特定することも可能であり、流量信号が、計算音速信号でガス流量を除去又は補償する信号処理において利用されることが理解されるだろう。
【０１３８】
図２７Ｂを参照して、代替のトランスデューサ構成２７０を示し、この構成では、一対のトランスデューサ２７２、２７４が、図２７Ａと同様に、検知通路の両側から互いに対向して設けられるが、各トランスデューサは、送信器及び受信器の両方として動作し得る。すなわち、各トランスデューサは超音波送信器−受信器又は送受信器である。この構成では、流れに沿った双方向超音波パルス２７６をトランスデューサ対２７２と２７４との間で送信し得る。例えば、パルスは、パルスを、トランスデューサ間で前後に交互に、又は任意の他の順番若しくはパターンで送信し得る。ここでも、トランスデューサ対は、空気流路軸２０８に対して位置合わせされ、検知通路２０６での空気流路軸２０８に略位置合わせされるか、又は平行する１つ又は複数のビーム路で流れに沿ったパルスを送信するように構成される。この構成を用いる場合、音速信号の流量成分は、送受信される音響パルスの処理から直接導出又は特定することができるため、別個の流量センサを必ずしも設ける必要はない。
【０１３９】
図２７Ｃを参照して、代替のエコートランスデューサ構成２８０を示し、この構成では、送信器トランスデューサと受信器トランスデューサとの対は、単一の超音波送信器−受信器トランスデューサ２８２の形態で設けられ、このトランスデューサ２８２は、検知通路の片側（開始部であれ、又は終了部であれ）に設けられ、空気流軸２０８に略位置合わせされるか、又は平行するビーム路で、検知通路２０６に沿って、流れに沿った音響パルス２８６を送信し、検知通路の逆端部から反射される反射パルス又はエコーを受信するように構成される。示される実施形態では、送信器−受信器２８２は通路の端部に示されるが、代替的に、通路の開始部に配置することもできる。図２７Ａの構成のように、流量センサが検知通路に設けられて、音速の計算が空気流量成分を補償できるようにする。
【０１４０】
図２６Ｂ〜図２６Ｅ及び図２７Ａ〜図２７Ｃの代替の構成を用いて、それに従って、検知通路での音速を検知するように、ドライバ回路、受信器回路、及び信号処理を構成可能であり、次に、上述したように、音速を使用してガス組成が特定されることが理解される。
【０１４１】
好ましい特徴
１．加温加湿されたガス流を提供するように構成される呼吸補助装置であって、ガス供給を受け取るように構成されるガス流入口と、ガス供給から加圧ガス流を生成するように構成されるブロワユニットと、加圧ガス流を加温加湿するように構成される加湿ユニットと、加温加湿されたガス流のガス流出口と、ガス流入口からブロワユニット及び加湿ユニットを通してガス流出口に呼吸装置を通るガス流の流路と、流路内において、加湿ユニットの前に設けられるセンサ組立体であって、ガス流内の１つ又は複数のガス濃度を検知する超音波ガス組成センサシステムを備える、センサ組立体とを備える、呼吸補助装置。
【０１４２】
２．超音波ガス組成センサシステムは送信器と受信器との送受信器対を備え、送受信器対は、送信器から受信器に、ガス流を通してクロスフロー音響パルスを送信して、センサ組立体の近傍でのガス流内での音速を検知するように動作可能である、段落１による呼吸補助装置。
【０１４３】
３．送信器と受信器との送受信器対は、音響パルスが、ガス流の流れる方向に略直交する方向においてガス流を移動するように配置される、段落２による呼吸補助装置。
【０１４４】
４．送信器と受信器との送受信器対は、音響パルスが、ガス流の流れる方向に対して傾斜するが、直交はしないクロスフローでガス流を移動するように配置される、段落２による呼吸補助装置。
【０１４５】
５．送信器と受信器との送受信器対は、送信器として構成されるトランスデューサと、受信器として構成されるトランスデューサを備えて、単方向音響パルスを送信する、段落２〜４の何れか１つによる呼吸補助装置。
【０１４６】
６．送信器と受信器との送受信器対は、双方向音響パルスを送信するように構成される一対の送信器−受信器トランスデューサを備える、段落２〜４の何れか１つによる呼吸補助装置。
【０１４７】
７．送信器及び受信器は、ガス流の流れる方向に関連して互いに位置合わせされ、流路を挟んで互いに面する、段落５又は６による呼吸補助装置。
【０１４８】
８．送信器及び受信器は、ガス流の流れる方向において互いから変位される、段落５又は６による呼吸補助装置。
【０１４９】
９．音響パルスは、送信器と受信器との間で直接的なビーム路を有する、段落８による呼吸補助装置。
【０１５０】
１０．音響パルスは、送信器と受信器との間で間接的であり、１つ又は複数の反射を経るビーム路を有する、段落８による呼吸補助装置。
【０１５１】
１１．送信器トランスデューサと受信器トランスデューサとの対は、クロスフロー音響パルスを送信し、エコーリターンパルスを受信するように構成される単一の送信器−受信器の形態である、段落２〜４の何れか１つによる呼吸補助装置。
【０１５２】
１２．超音波ガス組成センサシステムは、送信器から受信器に、ガス流を通して流れに沿った音響パルスを送信して、センサ組立体の近傍でのガス流内での音速を検知するように動作可能な送信器トランスデューサと受信器トランスデューサとの対を備える、段落２による呼吸補助装置。
【０１５３】
１３．超音波ガス組成センサシステムの送信器トランスデューサと受信器トランスデューサとの対に動作可能に接続され、ガス流を通る音速を検知し、音速を示す音速信号を生成するようにトランスデューサ対を動作させるように構成されるセンサ制御システムを更に備える、段落２〜１２の何れか１つによる呼吸補助装置。
【０１５４】
１４．センサ制御システムは、少なくとも、ガス流を通る音速を示す信号に基づいて、ガス流内のガス濃度を示す１つ又は複数のガス濃度信号を生成するように構成される、段落１３による呼吸補助装置。
【０１５５】
１５．センサ組立体は温度センサを更に備え、温度センサは、センサ組立体の近傍でのガス流の温度を測定し、代表的な温度信号を生成するように構成され、センサ制御システムは、音速信号及び温度信号に基づいて、ガス流内のガス濃度を示す１つ又は複数のガス濃度信号を生成するように構成される、段落１３又は１４による呼吸補助装置。
【０１５６】
１６．センサ組立体は湿度センサを更に備え、湿度センサは、センサ組立体の近傍でのガス流内の湿度を測定し、代表的な湿度信号を生成するように構成され、センサ制御システムは、音速信号及び湿度信号に基づいて、ガス流内のガス濃度を示す１つ又は複数のガス濃度信号を生成するように構成される、段落１３又は１４による呼吸補助装置。
【０１５７】
１７．センサ組立体は、センサ組立体の近傍でのガス流の温度を測定し、代表的な温度センサを生成するように構成される温度センサと、センサ組立体の近傍でのガス流内の湿度を測定し、代表的な湿度信号を生成するように構成される湿度センサとを更に備え、センサ制御システムは、音速信号、温度信号、及び湿度信号に基づいて、ガス流内のガス濃度を示す１つ又は複数のガス濃度信号を生成するように構成される、段落１３又は１４による呼吸補助装置。
【０１５８】
１８．センサ制御システムは、温度補正を温度信号に適用して、温度センサに影響する、呼吸装置内の熱によって生じる任意の予測温度検知誤差を補償するように構成される、段落１５又は１７による呼吸補助装置。
【０１５９】
１９．センサ組立体は、流量センサを更に備え、流量センサは、センサ組立体の近傍でのガス流の流量を検知し、代表的な流量信号を生成するように構成され、システムは、ブロワユニットのモータ速度を検知し、代表的なモータ速度信号を生成するように構成される、設けられたモータ速度センサを更に備え、温度補正は、少なくとも、流量信号及び／又はモータ速度信号に基づいてセンサ制御システムによって計算される、段落１８による呼吸補助装置。
【０１６０】
２０．センサ制御システムは、ガス流内の酸素濃度を表すガス濃度信号を生成するように構成される、段落１３〜１９の何れか１つによる呼吸補助装置。
【０１６１】
２１．センサ制御システムは、ガス流内の二酸化炭素濃度を表すガス濃度信号を生成するように構成される、段落１３〜１９の何れか１つによる呼吸補助装置。
【０１６２】
２２．センサ組立体は流路内に脱着可能に搭載される、段落１〜２１の何れか１つによる呼吸補助装置。
【０１６３】
２３．流路は、流路の少なくとも１つのセクション又は部分でのガス流の安定した流れを促進するような形状又は構成を有する、段落１〜２２の何れか１つによる呼吸補助装置。
【０１６４】
２４．流路は、センサ組立体を含む流路のセクション又は部分での安定した流れを促進するような形状又は構成を有する、段落２３による呼吸補助装置。
【０１６５】
２５．流路は、ガス流入口において、又はガス流入口に向かう１つ又は複数のフローディレクタを備える、段落２３又は２４による呼吸補助装置。
【０１６６】
２６．各フローディレクタは、弓形フィンの形態である、段落２５による補助呼吸装置。
【０１６７】
２７．流路は、ガス流の安定した流れを促進する少なくとも１つの螺旋部分又はセクションを備える、段落２３〜２６の何れか１つによる呼吸補助装置。
【０１６８】
２８．流路は、ガス流入口とブロワユニットとの間に延びる流入セクションを備え、流入セクションは少なくとも１つの螺旋部を備える、段落２７による呼吸補助装置。
【０１６９】
２９．センサ組立体は流路の螺旋部分に配置される、段落２７又は２８による呼吸補助装置。
【０１７０】
３０．螺旋部は１つ又は複数の略直線のセクションを備え、センサ組立体は直線セクションのうちの１つに配置される、段落２９による呼吸補助装置。
【０１７１】
３１．センサ組立体は、本体を備えるセンサ筐体を備え、本体は、中空であり、第１の開放端部と第２の開放端部との間に延びる周壁によって画定され、それにより、本体内において壁の間に検知通路を画定し、検知通路を通って、ガス流は、本体の第１の端部と第２の端部との間に延びる流軸の方向に流れることができ、送信器トランスデューサと受信器トランスデューサとの対は、検知通路の対向する壁又は側に配置される、段落２〜３０の何れか１つによる呼吸補助装置。
【０１７２】
３２．センサ筐体は、２つの離間された側壁と、側壁の間に延びる上壁及び下壁とを備えて、本体に沿って、第１の端部と第２の端部との間に検知通路を画定する本体と、本体の対向する壁に配置される一対のトランスデューサ搭載組立体であって、それぞれが、本体の検知通路にわたり、トランスデューサ対の各トランスデューサが位置合わせされ、互いに面するようトランスデューサ対の各トランスデューサを受けて保持するように構成される、一対のトランスデューサ搭載組立体とを備える、段落３１による呼吸補助装置。
【０１７３】
３３．ブロワユニットは、最高で１００リットル／分の流量を有するガス流をガス流出口において生成するように動作可能である、段落１〜３２の何れか１つによる呼吸補助装置。
【０１７４】
３４．ガス流入口は、大気空気と、酸素供給源からの純粋な酸素との混合物を含むガスの供給を受け取るように構成される、段落１〜３３の何れか１つによる呼吸補助装置。
【０１７５】
３５．ガス流入口は、大気空気と、二酸化炭素供給源からの二酸化炭素との混合物を含むガスの供給を受け取るように構成される、段落１〜３３の何れか１つによる呼吸補助装置。
【０１７６】
３６．流路は装置のバルク流路内にある、段落１〜３５の何れか１つによる呼吸補助装置。
【０１７７】
３７．呼吸補助装置内のガス流のインライン流路検知を行うセンサ組立体であって、本体を備えるセンサ筐体を備え、本体は、中空であり、第１の開放端部と第２の開放端部との間に延びる周壁によって画定され、それにより、本体内において壁の間に検知通路を画定し、検知通路を通って、ガス流は、本体の第１の端部と第２の端部との間に延びる流軸の方向に流れることができ、センサ組立体は、検知通路を流れるガス流内の１つ又は複数のガス濃度を検知する、センサ筐体に搭載される超音波ガス組成センサシステムと、検知通路を流れるガス流の温度を検知する、センサ筐体に搭載される温度センサと、検知通路を流れるガス流の流量を検知する、センサ筐体に搭載される流量センサとを備える、センサ組立体。
【０１７８】
３８．センサ筐体は、呼吸補助装置の流路内の相補的な保持アパーチャに脱着可能に係合するように構成される、段落３７によるセンサ組立体。
【０１７９】
３９．超音波ガス組成センサシステムは、送信器から受信器に、ガス流を通して、検知通路を通って流れるガス流の流軸に略直交する方向に音響パルスを送信するように動作可能な送信器トランスデューサと受信器トランスデューサとの対を備える、段落３７又は３８によるセンサ組立体。
【０１８０】
４０．送信器トランスデューサと受信器トランスデューサとの対は、検知通路の対向する壁又は側に配置される、段落３９によるセンサ組立体。
【０１８１】
４１．センサ筐体の本体は、２つの離間された側壁と、側壁の間に延びる上壁及び下壁とを備えて、本体に沿って、第１の端部と第２の端部との間に検知通路を画定し、本体は、本体の対向する壁に配置される一対のトランスデューサ搭載組立体を備え得、一対のトランスデューサ搭載組立体はそれぞれ、本体の検知通路にわたり、トランスデューサ対の各トランスデューサが位置合わせされ、互いに面するようトランスデューサ対の各トランスデューサを受けて保持するように構成される、段落３９又は４０によるセンサ組立体。
【０１８２】
４２．一対のトランスデューサ搭載組立体は、本体の対向する側壁に配置され、各トランスデューサ搭載組立体は、対の各トランスデューサを内部で受けて保持する保持キャビティを備える、段落４１によるセンサ組立体。
【０１８３】
４３．各トランスデューサ搭載組立体は、本体の各側壁から延びる円筒形ベース部と、ベース部から延びる少なくとも一対の対向するクリップとを備え、ベース部及びクリップは集合的に、保持キャビティを画定する、段落４２によるセンサ組立体。
【０１８４】
４４．本体の各側壁は、トランスデューサアパーチャを備え、トランスデューサアパーチャは、関連付けられたトランスデューサ搭載組立体と位置合わせされ、トランスデューサアパーチャを通して、トランスデューサの動作前面が延びて、検知通路にアクセスし得る、段落４３によるセンサ組立体。
【０１８５】
４５．トランスデューサ搭載組立体は、トランスデューサの動作面が、センサ筐体の本体の各壁の内面と略同一の平面にあるように各トランスデューサを配置するように構成される、段落４４によるセンサ組立体。
【０１８６】
本発明の上記説明は、本発明の好ましい形態を含む。添付の特許請求の範囲により規定される本発明の範囲から逸脱せずに、変更を行い得る。
【図１】
2018118085.tif 000003
【図２】
2018118085.tif 000004
【図３】
2018118085.tif 000005
【図４】
2018118085.tif 000006
【図５】
2018118085.tif 000007
【図６】
2018118085.tif 000008
【図７】
2018118085.tif 000009
【図８】
2018118085.tif 000010
【図９】
2018118085.tif 000011
【図１０】
2018118085.tif 000012
【図１０Ａ】
2018118085.tif 000013
【図１１】
2018118085.tif 000014
【図１２】
2018118085.tif 000015
【図１３】
2018118085.tif 000016
【図１４】
2018118085.tif 000017
【図１５】
2018118085.tif 000018
【図１６】
2018118085.tif 000019
【図１７】
2018118085.tif 000020
【図１８Ａ】
2018118085.tif 000021
【図１８Ｂ】
2018118085.tif 000022
【図１８Ｃ】
2018118085.tif 000023
【図１９】
2018118085.tif 000024
【図２０】
2018118085.tif 000025
【図２１】
2018118085.tif 000026
【図２２】
2018118085.tif 000027
【図２３】
2018118085.tif 000028
【図２４】
2018118085.tif 000029
【図２５】
2018118085.tif 000030
【図２６Ａ−２６Ｅ】
2018118085.tif 000031
【図２７Ａ−２７Ｃ】
2018118085.tif 000032
【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
加温加湿されたガス流を提供するように構成される呼吸補助装置であって、
ガス供給を受け取るように構成されるガス流入口と、
前記ガス供給から加圧ガス流を生成するように構成されるブロワユニットと、
前記加圧ガス流を加温加湿するように構成される加湿ユニットと、
前記加温加湿されたガス流のガス流出口と、
前記ガス流入口から前記ブロワユニット及び前記加湿ユニットを通して前記ガス流出口に前記呼吸補助装置を通る前記ガス流の流路と、
前記流路内において、前記加湿ユニットの前に設けられるセンサ組立体であって、前記ガス流内の１つ又は複数のガス濃度を検知する超音波ガス組成センサシステムを備える、センサ組立体と、
を備える、呼吸補助装置。
【外国語明細書】
2018118085000001.pdf